(57)【要約】  参照信号を適切に配置することができる基地局。基地局（１００）において、制御部（１０１）は、参照信号の配置の決定に用いる第１のしきい値に基づいて、第２のしきい値を決定する。送信部（１０５）は、第２のしきい値に基づいて配置される参照信号を送信する。
2020059438.tif 000002
【特許請求の範囲】
【請求項１】
参照信号の配置の決定に用いる第１のしきい値に基づいて、第２のしきい値を決定する制御回路と、
前記第２のしきい値に基づいて配置される前記参照信号を送信する送信回路と、
を具備する送信機。
【請求項２】
前記第１のしきい値及び前記第２のしきい値は、変調方式及び符号化率の組み合わせの複数の候補を含むテーブルに付されたインデックスであり、前記候補には、少なくとも、周波数効率が含まれ、
前記制御回路は、第１のテーブルにおける前記第１のしきい値に対応する第１の周波数効率に基づいて、第２のテーブルにおけるインデックスを前記第２のしきい値に決定する、
請求項１に記載の送信機。
【請求項３】
前記第２のしきい値は、前記第２のテーブルにおいて、前記第１の周波数効率以下の最大の周波数効率に対応するインデックスである、
請求項２に記載の送信機。
【請求項４】
前記第２のしきい値は、前記第２のテーブルにおいて、前記第１の周波数効率以上の最小の周波数効率に対応するインデックスである、
請求項２に記載の送信機。
【請求項５】
前記第１のしきい値及び前記第２のしきい値は、変調方式及び符号化率の組み合わせの複数の候補を含むテーブルに付されたインデックスであり、前記候補には、少なくとも、変調多値数が含まれ、
前記制御回路は、第１のテーブルにおける前記第１のしきい値に対応する第１の変調多値数に基づいて、第２のテーブルにおけるインデックスを前記第２のしきい値に決定する、
請求項２に記載の送信機。
【請求項６】
前記第２のしきい値は、前記第２のテーブルにおいて、前記第１の変調多値数以下の最大の変調多値数に対応するインデックスである、
請求項５に記載の送信機。
【請求項７】
前記第２のしきい値は、前記第２のテーブルにおいて、前記第１の変調多値数以上の最小の変調多値数に対応するインデックスである、
請求項５に記載の送信機。
【請求項８】
前記第２のしきい値は、前記第１のしきい値にオフセットを適用して決定される、
請求項１に記載の送信機。
【請求項９】
前記第１のしきい値及び前記第２のしきい値は、変調方式及び符号化率の組み合わせの複数の候補を含むテーブルに付されたインデックスであり、
前記オフセットの値は、固定値、上位レイヤ信号又は制御信号によって通知される値、前記テーブルの種類に応じて設定される値、及び、前記第１のテーブル及び前記第２のテーブルの組み合わせに応じて設定される値の何れかである、
請求項８に記載の送信機。
【請求項１０】
前記制御回路は、データのタイプが所定のタイプである場合、前記第２のしきい値に基づいて決定される前記参照信号の配置と異なる密度の参照信号の配置を設定する、
請求項１に記載の送信機。
【請求項１１】
参照信号の配置の決定に用いる第１のしきい値に基づいて、第２のしきい値を決定する制御回路と、
前記第２のしきい値に基づいて配置される前記参照信号を受信する受信回路と、
を具備する受信機。
【請求項１２】
参照信号の配置の決定に用いる第１のしきい値に基づいて、第２のしきい値を決定し、
前記第２のしきい値に基づいて配置される前記参照信号を送信する、
送信方法。
【請求項１３】
参照信号の配置の決定に用いる第１のしきい値に基づいて、第２のしきい値を決定し、
前記第２のしきい値に基づいて配置される前記参照信号を受信する、
受信方法。
【発明の詳細な説明】
【技術分野】
【０００１】
本開示は、送信機、受信機、送信方法及び受信方法に関する。
【背景技術】
【０００２】
第５世代移動通信システム（5G）と呼ばれる通信システムが検討されている。5Gでは、高速な通信トラフィックの増大、接続する端末数の増大、高信頼性、低遅延が必要とされるユースケース毎に機能を柔軟に提供することが検討されている。これらのユースケースに対応する代表的なトラフィックタイプ（traffic type）として、拡張モバイルブロードバンド（eMBB：enhanced Mobile Broadband）、大規模コミュニケーション/多数接続（mMTC：massive Machine Type Communications）、超信頼性・低遅延コミュニケーション（URLLC：Ultra Reliable and Low Latency Communications)がある。国際標準化団体である3GPP（3rd Generation Partnership Project）では、LTEシステムの高度化と、New RAT（Radio Access Technology）（例えば、非特許文献１を参照）の両面から、通信システムの高度化を検討している。
【先行技術文献】
【非特許文献】
【０００３】
【非特許文献１】RP-161596, "Revision of SI: Study on New Radio Access Technology", NTT DOCOMO, September 2016
【非特許文献２】R1-1612335, "On phase noise effects", Ericsson, November 2016
【非特許文献３】3GPP TR 38.214 V15.2.0, "NR Physical layer procedure for data (Release 15)" (2018-06)
【非特許文献４】R1-1809139, "Maintenance for Reference signals and QCL", NTT DOCOMO, August 2018
【発明の概要】
【０００４】
しかしながら、New RATにおいて、参照信号の配置方法について十分に検討されていない。
【０００５】
本開示の非限定的な実施例は、参照信号を適切に配置できる送信機、受信機、送信方法及び受信方法の提供に資する。
【０００６】
本開示の一実施例に係る送信機は、参照信号の配置の決定に用いる第１のしきい値に基づいて、第２のしきい値を決定する制御回路と、前記第２のしきい値に基づいて配置される前記参照信号を送信する送信回路と、を具備する。
【０００７】
本開示の一実施例に係る受信機は、参照信号の配置の決定に用いる第１のしきい値に基づいて、第２のしきい値を決定する制御回路と、前記第２のしきい値に基づいて配置される前記参照信号を受信する受信回路と、を具備する。
【０００８】
本開示の一実施例に係る送信方法は、参照信号の配置の決定に用いる第１のしきい値に基づいて、第２のしきい値を決定し、前記第２のしきい値に基づいて配置される前記参照信号を送信する。
【０００９】
本開示の一実施例に係る受信方法は、参照信号の配置の決定に用いる第１のしきい値に基づいて、第２のしきい値を決定し、前記第２のしきい値に基づいて配置される前記参照信号を受信する。
【００１０】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１１】
本開示の一実施例によれば、参照信号を適切に配置できる。
【００１２】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１３】
【図１】MCS index table 1の一例を示す図
【図２】MCS index table 2の一例を示す図
【図３】MCS index table 3の一例を示す図
【図４】MCSとPT-RSの時間的配置密度との関係の一例を示す図
【図５】PT-RSの配置例を示す図
【図６】異なるMCS index tableにおいて同一のMCSしきい値を用いた場合のPT-RSの配置密度を決定する方法の一例を示す図
【図７】実施の形態１に係る基地局の一部の構成例を示すブロック図
【図８】実施の形態１に係る移動局の一部の構成例を示すブロック図
【図９】実施の形態１に係る基地局の構成例を示すブロック図
【図１０】実施の形態１に係る移動局の構成例を示すブロック図
【図１１】実施の形態１に係る基地局及び移動局の設定例を示すシーケンス図
【図１２】実施の形態１に係るPT-RSのMCSしきい値の設定例を示す図
【図１３】実施の形態１に係るMCSとPT-RSの時間的配置密度との関係の一例を示す図
【図１４】実施の形態２に係る移動局の一部の構成例を示すブロック図
【図１５】実施の形態２に係る基地局の一部の構成例を示すブロック図
【図１６】実施の形態２に係る移動局の構成例を示すブロック図
【図１７】実施の形態２に係る基地局の構成例を示すブロック図
【図１８】実施の形態２に係る基地局及び移動局の設定例を示すシーケンス図
【図１９】他の実施の形態に係るMCSとPT-RSの時間的配置密度との関係の一例を示す図
【発明を実施するための形態】
【００１４】
以下、本開示の実施の形態について図面を参照して詳細に説明する。
【００１５】
［トラフィックタイプ及びMCS index table］
New RATでは、eMBB又はURLLC等の複数のトラフィックタイプに基づくデータを送受信することが想定されている。例えば、URLLCでは、送受信データに対してeMBBよりも高い信頼性をサポートするために、eMBBにおいて使用が想定されているMCS（Modulation and Coding Scheme, 変調方式及び符号化率の組み合わせ）よりも、周波数効率（SE：Spectral Efficiency）又は符号化率（target code rate）のより低いMCSをサポートする。換言すると、URLLCでは、eMBBのMCSよりも信頼性の高いconservativeなMCSをサポートする。
【００１６】
そこで、New RATでは、MCSの一覧である「MCS index table」（換言すると、MCSの複数の候補を含むテーブル）について、指定できる周波数効率の範囲が異なるテーブルが複数用意される。基地局（gNBと呼ばれることもある）及び移動局（端末又はUE（User Equipment）と呼ばれることもある）は、送受信するデータのトラフィックタイプに適したMCS index tableを用いてデータを変復調することが想定される。
【００１７】
図１、図２及び図３は、MCS index tableの一例として、非特許文献３に規定されている３種類のMCS index table（MCS index table 1, MCS index table 2, MCS index table 3）をそれぞれ示す。図１に示すMCS index table 1及び図２に示すMCS index table 2は、指定できる周波数効率が比較的高く、図３に示すMCS index table 3は、指定できる周波数効率又は符号化率が比較的低い。例えば、MCS index table 1及びMCS index table 2は、主に、eMBBにおいて利用され、MCS index table 3は、主に、URLLCにおいて利用されることが想定される。ただし、MCS index table 3は、URLLCに限らず、eMBBにおいて利用されることもある。
【００１８】
移動局に対して、参照すべきMCS index tableの種類（MCS index table 1〜3の何れか1つのMCS index table）を示す情報が、例えば、上位レイヤ信号（higher layer signaling又はhigher Layler parameterと呼ばれる）によって基地局から設定（configure）される。また、移動局に対して、MCS index tableに記載されたMCSのうち、データの変復調に使用するMCSを示す情報（例えば、MCS index）が、例えば、下り制御情報（DCI：Downlink Control Information）によって動的に通知（indicate）される。例えば、移動局は、上位レイヤ信号によって設定されたMCS index tableを参照して、DCIによって通知されるMCS indexからデータの変復調に利用するMCSを判断する。
【００１９】
ただし、トラフィックタイプがURLLCであるデータの変復調時には、移動局が、上位レイヤ信号による設定に関係なく、固定のMCS index table（例えば、MCS index table 3）を参照（使用）することが想定されている。よって、上位レイヤ信号によって移動局に設定されるMCS index tableと、移動局がデータの変復調用に実際に参照するMCS index tableとが、異なることがあり得る。
【００２０】
なお、以下の説明では、MCS index table 1及びMCS index table 3のMCS index 29-31、及び、MCS index table 2のMCS index 28-31のように、符号化率及び周波数効率（spectral efficiency）の数値が規定されていないMCS indexを、「reserved MCS index」と呼ぶ。reserved MCS indexは、例えば、HARQ（hybrid automatic repeat request）プロセスにおける再送（retransmission）の通知に利用されることがある。
【００２１】
［PT-RS］
New RATでは、例えば、6GHz以上の周波数の信号が搬送波として利用される。特に、高い周波数帯かつ高次の変調多値数（Modulation order）を使用する場合、局部発振器（Local Oscillator）の位相雑音（Phase Noise）によって発生するCPE（Common Phase Error、共通位相誤差）又はICI（Inter-carrier Interference、キャリア間干渉）によって誤り率特性が劣化する（例えば、非特許文献２を参照）。
【００２２】
そこで、New RATでは、受信機が、チャネル等化（Channel Equalization）に加えて、位相トラッキング用参照信号（PT-RS：Phase Tracking Reference Signal）を用いたCPE補正（CPE Correction）又はICI補正（ICI Correction）（以下、「CPE/ICI補正」と呼ぶこともある）を行うことが検討されている。
【００２３】
PT-RSは、時間的にランダムに変動するCPE/ICIを追従（track）するために、チャネル推定用（復調用）の参照信号（DMRS：Demodulation Reference Signal）と比較して時間軸上に高密度に配置（mapping）される。例えば、PT-RSは、シンボル毎、隣接する２シンボルのうち１シンボル、又は、隣接する４シンボルのうち１シンボル等の密度で配置されることが想定される。これをPT-RSの時間的配置密度（time domain density）と呼ぶ。
【００２４】
また、CPE/ICIのサブキャリア間での変動は少ないという特性から、PT-RSは、周波数領域では比較的低密度に配置される。例えば、PT-RSは、RB（Resource Block）毎に1つ（例えば、１サブキャリア）、隣接する２RB毎に１つ、又は、隣接する４RB毎に１つ等の密度で配置されることが想定される。これをPT-RSの周波数的配置密度（frequency domain density）と呼ぶ。
【００２５】
3GPP RAN1#88におけるPT-RSに関する合意事項によると、PT-RSは、基地局と、上位レイヤシグナリング（例えば、RRC（Radio Resource Control)シグナリング）によって基地局から通知された移動局との間で使用される。また、PT-RSの時間的配置密度又は周波数的配置密度は、当該基地局と移動局との間で使用されるMCS又は帯域幅等によって柔軟に変化することが想定されている。
【００２６】
一方、チャネル推定に用いられるDMRSは、チャネル特性の周波数領域の変化が大きく、また、時間領域の変化が位相雑音ほど大きくないことから、PT-RSと比較して周波数領域には高密度に、時間領域には低密度に配置される。さらに、New RATでは、データ復調のタイミングを早めるため、スロットの前方に配置されるfront-loaded DMRSの導入が想定されている。
【００２７】
また、PT-RSは、あるDMRSと同一アンテナポート（このポートをPT-RSポートと呼んでもよい）に配置されること、また、PT-RSに対してDMRSポートと同じプリコーディングが適用されることが検討されている。このため、受信機では、PT-RSをDMRSと同様に、チャネル推定に利用する可能性もある。
【００２８】
また、PT-RSはDMRSの一部として定義されることも考えられる。この場合、CPE/ICI推定に使用されるDMRSは、他のDMRSよりも時間領域では高密度に配置され、周波数領域では低密度に配置される。また、位相雑音により発生するCPE/ICIの補正に使用する参照信号は、「PT-RS」とは異なる名称で呼ばれる可能性もある。
【００２９】
［PT-RSの配置密度の判断方法］
移動局がPT-RSの配置密度を判断する方法について検討されている。一つの方法としては、PT-RSの配置密度が、基地局からPT-RS専用の制御信号（例えば、DCI又は上位レイヤ信号等）によって通知される方法である（明示的通知/explicit indication）。他の方法としては、PT-RSの配置密度と他のパラメータ（例えば、MCS又は帯域幅等）との対応関係を予め決めておき、移動局が、通信時にDCIで通知される当該他のパラメータとその対応関係とを照合してPT-RSの配置密度を判断する方法である（暗黙的通知/implicit indication）。
【００３０】
なお、これらの方法以外の方法が使用される可能性もあるが、現状では、暗黙的通知の使用が想定されている。
【００３１】
前述のように、PT-RSは、シンボル毎、隣接する２シンボルのうち１シンボル、又は、隣接する４シンボルのうち１シンボル等の時間的配置密度によって配置されることが想定される。例えば、PT-RSの時間的配置密度を指示する情報は、DCIに含まれるMCS indexによって、基地局から移動局に暗黙的に通知される。例えば、基地局及び移動局は、通知されるMCS indexの値が高いほど、PT-RSの時間的配置密度が高いと決定/判断することが想定されている。これは、高度のMCSが使用される場合ほど、一般に、位相雑音の影響が大きく、より高密度に配置されたPT-RSによるCPE/ICI推定が必要であることが分かっているためである。
【００３２】
図４は、MCS index（例えば、「IMCS」と表す）と、PT-RSの時間的配置密度（例えば、「LPT-RS」と表す）との関係の一例を示す。図４において、「ptrs-MCSi」（i=1, 2, 3及び4の何れかの値)は、MCSしきい値（threshold）と呼ばれる値であり、PT-RSの時間的配置密度LPT-RSが切り替わる境界のMCS indexを示す。
【００３３】
図４では、「PT-RS is not present」の場合（IMCSがptrs-MCS1未満の場合）を除いて、PT-RSは、LPT-RS個の隣接シンボルに１つのシンボルという時間的配置密度で配置されることが想定される。図５は、CP-OFDM（Cyclic Prefix-Orthogonal Frequency Division Multiplexing）波形におけるLPT-RSの値とPT-RSの配置との関係の一例を示す。なお、LPT-RSの値は、１，２及び４に限らず、他の値でもよい。
【００３４】
例えば、図４において、ptrs-MCS4を除いた他のMCSしきい値（ptrs-MCS1、ptrs-MCS2及びptrs-MCS3）は、移動局の性能（capability）に従って、上位レイヤ信号によって基地局から移動局毎に設定される値である。これらのMCSしきい値を移動局毎に柔軟に設定することで、移動局の位相発振器等のハードウェア又は実装の特性に依存して変化する位相雑音の大きさ又は特性に対応することが想定されている。
【００３５】
MCSしきい値は、上位レイヤ信号によって移動局に設定されるMCS index table（例えば、MCS index table 1, 2 or 3）を基準に設定されることが想定される。例えば、移動局に設定されるMCS index tableに含まれるMCS（例えば、変調多値数又は周波数効率）に対して、どのくらいの配置密度のPT-RSが必要かを基地局が判断した結果が、当該移動局に対して設定されるMCSしきい値に反映される。
【００３６】
しかし、上述したように、URLLCデータの変復調の際には、上位レイヤの指示に関係なく、移動局は、MCS index table 3を参照することが想定されている。よって、例えば、移動局に対して、上位レイヤ信号によってMCS index table 1又はMCS index table 2が設定されている場合、URLLCデータの変復調の際、基地局及び移動局は、上位レイヤ信号によって設定されたMCS index table 1 or 2を想定して最適化されたMCSしきい値を、URLLCデータの変復調に使用するMCS index table 3に適用して、PT-RSの時間的配置密度を判断する。
【００３７】
従って、URLLCのデータの変復調に使用されるMCS（例えば、変調多値数又は周波数効率）に対して、実際に送信されるPT-RSの配置が適切ではないという課題が発生し得る。
【００３８】
上記課題の一例を図６に示す。図６では、移動局に対して上位レイヤ信号によってMCS index table 2及びMCSしきい値ptrs-MCS1=11が設定されている。なお、図６では、一例として、ptrs-MCS1について説明するが、他のMCSしきい値ptrs-MCS2及びptrs-MCS3についても同様である。
【００３９】
例えば、図６において、図４に示す関係を参照した場合に、MCS index table 2においてMCS index < ptrs-MCS1=11に相当する「Qm < 6」又は「SE < 2.7305」に対応するMCSではPT-RSが配置（又は、送信）されず（「PT-RS is not present」に対応）、他のMCS（例えば、MCS index ≧ ptrs-MCS1=11）ではPT-RSが配置（又は、送信）される（例えば、LPT-RS = 1、2又は4の何れかに対応）ことが、MCSしきい値ptrs-MCS1=11を設定する上位レイヤの意図であると思われる。
【００４０】
しかし、図６に示すように、MCS index table 2に基づいて設定されたMCSしきい値ptrs-MCS1=11をMCS index table 3に適用すると、MCS index < ptrs-MCS1=11は、「Qm ≦ 2の一部」又は「SE < 0.7402」に相当する。よって、MCS index table 2に基づいて設定されたMCSしきい値ptrs-MCS1=11をMCS index table 3に適用すると、上位レイヤによる意図に反して、「Qm < 6」又は「SE < 2.7305」に対応するMCSの一部においてもPT-RSが送信されるという解釈になってしまう。この結果、上位レイヤによってPT-RSの送信無しと判断されたMCSの範囲でも、PT-RSが送信されることになり、リソースの無駄となる。
【００４１】
このように、上位レイヤ信号によって設定されるMCS index tableと、データの変復調時に参照されるMCS index tableとが異なる場合、実際に送信されるPT-RSの配置が、変復調時に使用されるMCSに対して適切ではないことがあり得る。
【００４２】
これに対して、例えば、非特許文献４には、基地局が、上位レイヤ信号によって設定されたMCS index tableに適したMCSしきい値（例えば、図６ではMCS index table 2に適したMCSしきい値）に加え、データの変復調時に参照されるMCS index tableに適した追加のMCSしきい値（例えば、図６ではMCS index table 3に適したMCSしきい値）を決定し、上位レイヤ信号によって双方のMCSしきい値を移動局に設定する方法が提案されている。しかし、非特許文献４に記載された方法では、上位レイヤ信号のオーバヘッドが増加するという課題が生じる。
【００４３】
そこで、本開示の一実施例では、シグナリングオーバヘッドを増加させることなく、PT-RSを適切に配置する方法について説明する。
【００４４】
［信号波形］
New RATでは、下りリンク（基地局から移動局への方向、DL：downlink）においてCP-OFDM方式の使用が想定されている。一方、上りリンク（移動局から基地局への方向、UL：uplink)においてCP-OFDM方式及びDFT-S-OFDM（Discrete Fourier Transform - Spread OFDM）方式の両方が検討されており、通信環境に合わせて通信方式を切り替えるなどして使用されることが想定されている。
【００４５】
（実施の形態１）
本実施の形態では、下りリンクにおいて、送信機（基地局）が受信機（移動局）に対してPT-RSを送信する場合について説明する。
【００４６】
［通信システムの概要］
本実施の形態に係る通信システムは、基地局（送信機）１００、及び、移動局（受信機）２００を備える。
【００４７】
図７は、本実施の形態に係る基地局１００の一部の構成例を示すブロック図である。図７に示す基地局１００において、制御部１０１は、参照信号（例えば、PT-RS）の配置の決定（例えば、配置密度の決定）に用いる第１のしきい値（例えば、上位レイヤ信号によって設定されるMCSしきい値）に基づいて、第２のしきい値（例えば、データの変復調に用いるMCSしきい値）を決定する。送信部１０５は、第２のしきい値に基づいて配置される参照信号を送信する。
【００４８】
図８は、本実施の形態に係る移動局２００の一部の構成例を示すブロック図である。図８に示す移動局２００において、制御部２０８は、参照信号（例えば、PT-RS）の配置の決定（例えば、配置密度の決定）に用いる第１のしきい値（例えば、上位レイヤ信号によって設定されるMCSしきい値）に基づいて、第２のしきい値（例えば、データの変復調に用いるMCSしきい値）を決定する。受信部２０２は、第２のしきい値に基づいて配置される参照信号を受信する。
【００４９】
［基地局の構成］
図９は、本実施の形態に係る基地局１００の構成例を示すブロック図である。図９において、基地局１００は、制御部１０１と、誤り訂正符号化部１０２と、変調部１０３と、信号割当部１０４と、送信部１０５と、アンテナ１０６と、を有する。
【００５０】
制御部１０１には、移動局の性能を示す情報（例えば、UE capability）が入力される。制御部１０１は、例えば、移動局の性能を示す情報に基づいて、移動局２００が使用するMCS index table又はMCSしきい値を決定する。制御部１０１は、決定したMCS index table又はMCSしきい値を示す情報を含む上位レイヤ信号を誤り訂正符号化部１０２に出力する。
【００５１】
また、制御部１０１は、下りリンクデータ（例えば、eMBBデータ又はURLLCデータ）の送信時に使用するMCS（例えば、MCS index）又は各信号を割り当てるリソースを決定する。制御部１０１は、決定したMCSを示すMCS情報を変調部１０３に出力し、決定したリソースを示すリソース情報を信号割当部１０４に出力する。また、制御部１０１は、決定したMCS又はリソースを含むDCIを信号割当部１０４に出力する。
【００５２】
また、制御部１０１は、上位レイヤ信号によって移動局２００に設定したMCS index tableがURLLCデータの送信時に使用するMCS index table（例えば、MCS index table 3）と異なる場合、URLLCデータの送信時において、上位レイヤ信号によって移動局２００に設定したMCSしきい値を、URLLCデータの送信時に使用するMCS index tableに対応する値（例えば、URLLCデータ用PT-RSのMCSしきい値と呼ぶ）に読み替える（換言すると、変換又は翻訳する）。そして、制御部１０１は、読み替えたMCSしきい値に基づいて導出されるPT-RSの配置密度を用いて、PT-RSを割り当てるリソースを決定し、決定した割当リソースを示すリソース情報を信号割当部１０４に出力する。なお、URLLCデータ用PT-RSのMCSしきい値の設定方法の詳細については後述する。
【００５３】
なお、制御部１０１は、URLLCデータ以外のデータ（例えば、eMBBデータ）の送信時には、上位レイヤ信号によって移動局２００に設定したMCSしきい値に基づいて導出されるPT-RSの配置密度を用いて、PT-RSを割り当てるリソースを決定し、決定した割当リソースを示すリソース情報を信号割当部１０４に出力する。
【００５４】
誤り訂正符号化部１０２は、入力される送信データ信号（換言すると、下りリンクデータ）、又は、制御部１０１から入力される上位レイヤ信号を誤り訂正符号化し、誤り訂正符号化後の信号を変調部１０３に出力する。
【００５５】
変調部１０３は、制御部１０１から入力されるMCS情報に基づいて、誤り訂正符号化部１０２から入力される信号に対して変調処理を施し、変調後の信号を信号割当部１０４に出力する。
【００５６】
信号割当部１０４は、例えば、変調部１０３から入力される信号（送信データ信号又は上位レイヤ信号）、制御部１０１から入力されるDCI、又は、参照信号（例えば、DMRS又はPT-RS）を、時間・周波数領域に配置し、配置後の信号を送信部１０５に出力する。このとき、信号割当部１０４は、制御部１０１から入力されるリソース情報に基づいて、各信号をリソースに配置（割り当て）する。
【００５７】
送信部１０５は、信号割当部１０４から入力される信号に対して、搬送波を用いた周波数変換などの無線送信処理を行い、無線送信処理後の信号をアンテナ１０６に出力する。
【００５８】
アンテナ１０６は、送信部１０５から入力される信号を移動局２００に向けて放射する。
【００５９】
［移動局の構成］
図１０は、本実施の形態に係る移動局２００の構成例を示すブロック図である。図１０において、移動局２００は、アンテナ２０１と、受信部２０２と、信号分離部２０３と、チャネル推定部２０４と、CPE/ICI推定部２０５と、復調部２０６と、誤り訂正復号部２０７と、制御部２０８と、を有する。
【００６０】
アンテナ２０１は、基地局１００（図９を参照）から送信される信号を受信し、受信信号を受信部２０２に出力する。
【００６１】
受信部２０２は、アンテナ２０１から入力される受信信号に対して、周波数変換などの無線受信処理を行い、無線受信処理後の信号を信号分離部２０３に出力する。
【００６２】
信号分離部２０３は、受信部２０２から入力される信号の中のデータ信号、DMRS、又は、PT-RSがマッピングされた時間・周波数領域の位置を特定し、分離する。このとき、信号分離部２０３は、後述する制御部２０８から入力されるPT-RS配置密度情報に基づいて、PT-RSを分離する。信号分離部２０３は、分離した信号のうち、データ信号を復調部２０６に出力し、DMRSをチャネル推定部２０４及びCPE/ICI推定部２０５に出力し、PT-RSをチャネル推定部２０４及びCPE/ICI推定部２０５に出力する。
【００６３】
チャネル推定部２０４は、信号分離部２０３から入力されるDMRSを用いてチャネルを推定し、チャネル推定値（チャネル情報）を復調部２０６に出力する。なお、チャネル推定部２０４は、信号分離部２０３から入力されるPT-RSを用いてチャネルを推定してもよい。
【００６４】
CPE/ICI推定部２０５は、信号分離部２０３から入力されるPT-RS及びDMRSを用いてCPE/ICIを推定し、CPE/ICI推定値を復調部２０６に出力する。
【００６５】
復調部２０６は、制御部２０８から入力されるMCS情報、チャネル推定部２０４から入力されるチャネル推定値、及び、CPE/ICI推定部２０５から入力されるCPE/ICI推定値を用いて、信号分離部２０３から入力されるデータ信号を復調する。復調部２０６は、復調信号を誤り訂正復号部２０７に出力する。
【００６６】
誤り訂正復号部２０７は、復調部２０６から入力される復調信号を復号し、得られた受信データ信号を出力し、得られた上位レイヤ信号を制御部２０８に出力する。
【００６７】
制御部２０８は、誤り訂正復号部２０７から入力される上位レイヤ信号に含まれる情報に基づいて、移動局２００に設定されるMCS index tableの種類、及び、MCSしきい値を判断する。
【００６８】
また、制御部２０８は、信号分離部２０３から入力されるDCI又は当該DCIに含まれる情報に基づいて、データのトラフィックタイプ（例えば、eMBB又はURLLC等）、及び、スケジューリングされたMCS（例えば、MCS index）を判断する。制御部２０８は、判断したトラフィックタイプ及びMCS indexによって特定されるMCSを示すMCS情報を復調部２０６に出力する。
【００６９】
また、制御部２０８は、例えば、トラフィックタイプがURLLCであり、かつ、上位レイヤによって設定されたMCS index tableがURLLCデータの受信時に使用するMCS index table（例えば、MCS index table 3）と異なる場合、上位レイヤ信号によって設定されたMCSしきい値を、URLLCデータの受信時に使用するMCS index tableに対応する値（例えば、URLLCデータ用PT-RSのMCSしきい値）に読み替える。そして、制御部２０８は、読み替えたMCSしきい値と、DCIによって通知されたMCS indexとに基づいて、PT-RSの配置密度を導出し、導出した配置密度を示すPT-RS配置密度情報を信号分離部２０３に出力する。なお、URLLCデータ用PT-RSのMCSしきい値の設定方法の詳細については後述する。
【００７０】
なお、制御部２０８は、トラフィックタイプがURLLC以外のタイプ（例えば、eMBB）である場合、上位レイヤ信号によって設定されたMCSしきい値と、DCIによって通知されたMCS indexとに基づいて、PT-RSの配置密度を導出し、導出した配置密度を示すPT-RS配置密度情報を信号分離部２０３に出力する。
【００７１】
［基地局１００及び移動局２００の動作］
次に、基地局１００（図９を参照）及び移動局２００（図１０を参照）の動作について詳細に説明する。
【００７２】
図１１は基地局１００及び移動局２００の処理の一例を示すシーケンス図である。
【００７３】
例えば、基地局１００は、移動局２００に対するMCS index table及びMCSしきい値ptrs-MCSi（i=1〜3）を決定する（ＳＴ１０１）。例えば、基地局１００は、移動局２００に対して、移動局２００の性能等の情報に基づいて、MCS index table（例えば、MCS index table 1 or 2等）、及び、MCSしきい値ptrs-MCSi（i=1, 2及び3）の各値を設定する。
【００７４】
決定されたMCS index table及びMCSしきい値ptrs-MCSiは、例えば、上位レイヤ信号によって移動局２００に送信（設定）される（ＳＴ１０２）。移動局２００は、基地局１００からの上位レイヤ信号に基づいて、設定されたMCS index table及びMCSしきい値（例えば、ptrs-MCSi（i=1〜3））を特定する（ＳＴ１０３）。
【００７５】
基地局１００は、移動局２００に対して、例えば、URLLCデータをスケジュールする（ＳＴ１０４）。例えば、基地局１００は、MCS-C-RNTI等の特定のRNTI（Radio Network Temporary Indicator又はRadio Network Temporary Identifier）によってスクランブリング(scrambling)されたDCIと、当該DCIが示すURLLCデータと、URLLCデータのCPE/ICI推定に利用するPT-RS（例えば、URLLCデータ用PT-RS）を準備する。
【００７６】
基地局１００は、URLLCデータのスケジューリング情報を含むDCIを移動局２００に通知する（ＳＴ１０５）。移動局２００は、例えば、基地局１００から通知されるDCIを受信し、当該DCIがMCS-C-RNTI等の特定のRNTIによってスクランブリングされている等の条件を満たす場合、当該DCIに対応するデータのトラフィックタイプがURLLCであると判断する。この場合、移動局２００は、URLLC用データの復調の際、URLLCデータ用のMCS index table（例えば、MCS index table 3）を使用する。
【００７７】
基地局１００及び移動局２００は、上位レイヤ信号によって移動局２００に対して設定されたMCSしきい値（ptrs-MCSi（i=1〜3））に基づいて、URLLCデータ用PT-RSのMCSしきい値（例えば、「ptrs-MCSi_U」（i=1〜3）と表す）を設定する（ＳＴ１０６及びＳＴ１０７）。例えば、基地局１００及び移動局２００は、移動局２００に対して設定したptrs-MCSi(i=1, 2, 3)の各値を、URLLC用（例えば、MCS index table 3用）の値に読み替える。なお、URLLCデータ用PT-RSのMCSしきい値の設定方法の詳細については後述する。
【００７８】
基地局１００は、下りリンクデータ（例えば、URLLCデータ及びPT-RSを含む）を移動局２００へ送信する（ＳＴ１０８）。なお、基地局１００は、MCS index table 3に記載のMCSを用いて、URLLCデータを変調する。また、基地局１００は、ＳＴ１０６において設定したURLLCデータ用PT-RSのMCSしきい値ptrs-MCSi_Uに基づいて、PT-RSの配置密度を決定する。
【００７９】
移動局２００は、基地局１００から送信された下りリンクデータに対して、PT-RSを用いたCPE/ICI補正を行い、下りリンクデータの復調を行う（ＳＴ１０９）。なお、移動局２００は、ＳＴ１０７において設定したURLLCデータ用PT-RSのMCSしきい値ptrs-MCSi_Uに基づいて、下りリンクデータにおけるPT-RSの配置密度を特定する。
【００８０】
次に、基地局１００及び移動局２００におけるURLLCデータ用PT-RSのMCSしきい値の設定方法（例えば、図１１のＳＴ１０６及びＳＴ１０７の処理）の詳細について説明する。
【００８１】
以下では、一例として、上位レイヤ信号によって移動局２００に対してMCS index table 2が設定されている。また、上位レイヤ信号によって移動局２００に対して、MCS index table 2に適したMCSしきい値（ptrs-MCSi（例えば、i=1〜3））が設定されている。また、基地局１００及び移動局２００は、例えば、URLLCデータの送受信の際、上位レイヤ信号による設定に依らず、MCS index table 3を使用する。
【００８２】
また、以下では、基地局１００が、上位レイヤ信号によってMCS index table 2の使用が設定されている移動局２００に対して、例えば、高い周波数帯及び高度な変調多値数を用い、かつ、トラフィックタイプがURLLCであるデータ及びPT-RSを送信する場合について説明する。
【００８３】
この場合、基地局１００及び移動局２００は、上位レイヤ信号によって設定されたMCSしきい値に相当するMCS indexに対応するMCSの値（例えば、変調多値数又は周波数効率）に基づいて、URLLCデータの変復調に使用するMCS index table 3におけるMCS indexをURLLCデータ用PT-RSのMCSしきい値（ptrs-MCSi_U）に決定する。
【００８４】
例えば、基地局１００及び移動局２００は、上位レイヤ信号によって設定されたMCSしきい値に相当するMCS indexに対応するMCSの値（例えば、変調多値数又は周波数効率）と同様の値を有するMCSに対応するMCS indexを、URLLCデータの変復調に使用するMCS index table 3から選択し、選択されたMCS indexをURLLCデータ用PT-RSのMCSしきい値に設定する。
【００８５】
そして、基地局１００及び移動局２００は、URLLCデータ用PT-RSのMCSしきい値を、URLLCデータ用PT-RSの配置密度の導出に用いる。
【００８６】
以下、URLLCデータ用PT-RSのMCSしきい値を設定する設定例１及び設定例２について説明する。
【００８７】
＜設定例１＞
設定例１では、基地局１００及び移動局２００は、CP-OFDM信号波形における下りリンクにおいて、MCS index table 2における、上位レイヤ信号によって設定されたMCSしきい値に相当するMCS indexに対応する「周波数効率（SE）」に基づいて、MCS index table 3におけるMCS indexをURLLCデータ用PT-RSのMCSしきい値に設定する。
【００８８】
例えば、基地局１００は、MCS index table 2において移動局２００に対して設定されたptrs-MCSiに相当するMCS indexに対応する周波数効率（SE）と同様（例えば、同一又は近い値）の周波数効率（SE）に対応するMCS index table 3のMCS indexを、URLLC用のMCSしきい値に設定する。
【００８９】
図１２は、設定例１におけるURLLC用のMCSしきい値の設定例を示す。
【００９０】
図１２では、図６と同様、上位レイヤ信号によって移動局２００に対してMCS index table 2及びMCSしきい値ptrs-MCS1=11が設定されている。
【００９１】
図１２の場合、基地局１００は、上位レイヤによって設定されたMCS index table 2（例えば、図２）を参照し、MCSしきい値ptrs-MCS1に相当するMCS index (IMCS) = 11に対応する周波数効率（SE）の値=2.7305を確認する。
【００９２】
次に、基地局１００は、URLLCデータの変調に使用するMCS index table 3（例えば、図３）を参照し、MCS table 2のMCS index (IMCS) = 11に対応する周波数効率（SE）と同一の周波数効率（SE）=2.7305に対応するMCS index = 22を、URLLC用のMCS しきい値ptrs-MCS1_Uに設定する。基地局１００は、ptrs-MCS1_U = 22を記憶する。
【００９３】
基地局１００は、ptrs-MCS2、ptrs-MCS3についても同様に、URLLC用のMCSしきい値ptrs-MCS2_U及びptrs-MCS3_Uに読み替え、ptrs-MCS2_U及びptrs-MCS3_Uを記憶する。
【００９４】
なお、ptrs-MCS4は、例えば、各MCS index tableのreserved MCS indexのうち最小のMCS indexに予め設定される。例えば、MCS index table 1（図１）及びMCS index table 3（図３）ではptrs-MCS4=29であり、MCS index table 2（図２）ではptrs-MCS4=28である。
【００９５】
図１３は、URLLCデータの送受信時におけるMCS index（IMCS）と、PT-RSの時間的配置密度（LPT-RS）との関係の一例を示す。基地局１００は、例えば、図１３に基づいて、URLLC用PT-RSの時間的配置密度を導出する。
【００９６】
基地局１００は、以上の手順に基づいて準備したPT-RSをリソースに配置し、移動局２００に送信する。
【００９７】
一方、移動局２００は、基地局１００から通知されるDCIに対応するデータのトラフィックタイプがURLLCであると判断すると、基地局１００と同様にして、基地局１００から上位レイヤ信号によって設定されたMCSしきい値（例えば、ptrs-MCSi（i=1, 2及び3））の各値を、URLLCデータ用PT-RSのMCSしきい値（例えば、ptrs-MCSi_U（i=1, 2及び3））の各値に読み替える。
【００９８】
例えば、移動局２００は、MCS index table 3において、移動局２００に対して設定されたptrs-MCSiに相当するMCS indexに対応する周波数効率（SE）と同様（例えば、同一又は近い値）の周波数効率（SE）に対応するMCS indexを、URLLC用のMCSしきい値に設定する（例えば、図１２を参照）。
【００９９】
これにより、移動局２００は、URLLCデータの送受信時におけるMCS index（IMCS）と、PT-RSの時間的配置密度（LPT-RS）との関係（例えば、図１３を参照）を特定する。移動局２００は、基地局１００から通知されるDCIに示されるMCS index（IMCS）と、PT-RSの時間的配置密度（LPT-RS）との関係（例えば、図１３）に基づいて、URLLC用PT-RSの時間的配置密度を導出する。
【０１００】
そして、移動局２００は、導出した時間的配置密度によってリソースに配置されたPT-RSを受信し、受信したPT-RSを用いて、URLLCデータを復調（例えば、CPE/ICI補正）する。
【０１０１】
ここで、例えば、図１２において、図４に示す関係を参照した場合に、MCS index table 2においてMCS index < ptrs-MCS1=11に相当する「SE < 2.7305」に対応するMCSではPT-RSが配置されず（「PT-RS is not present」に対応）、他のMCS（例えば、MCS index ≧ ptrs-MCS1=11）ではPT-RSが配置される（例えば、LPT-RS = 1、2又は4の何れかに対応）ことが、MCSしきい値ptrs-MCS1=11を設定する上位レイヤの意図である。
【０１０２】
また、例えば、図１２において、図１３に示す関係を参照した場合、MCS table 3においてMCSしきい値ptrs-MCS1_U=22が設定されるので、MCS index table 2と同様、「SE < 2.7305」に対応するMCSではPT-RSが配置されず（「PT-RS is not present」に対応）、他のMCS（例えば、MCS index ≧ ptrs-MCS1_U=22）ではPT-RSが配置される（例えば、LPT-RS = 1、2又は4の何れかに対応）ことになる。
【０１０３】
よって、図１２に示すように、上位レイヤ信号によって設定されるMCSしきい値ptrs-MCSiが、URLLCデータ用PT-RSのMCSしきい値ptrs-MCSi_Uに読み替えられることにより、URLLCデータの送受信時においても、MCSしきい値ptrs-MCS1=11を設定する上位レイヤの意図を反映したPT-RSの送受信が可能となる。
【０１０４】
このように、設定例１によれば、上位レイヤ信号によって設定されるMCS index tableと、データの変復調用に参照されるMCS index tableとが異なる場合でも、データの変復調に使用されるMCSに適したPT-RSの配置が設定される。
【０１０５】
また、移動局２００は、URLLCデータ用PT-RSのMCSしきい値を、上位レイヤ信号によって設定されているMCSしきい値、及び、移動局２００が保持している複数のMCS index tableにおける周波数効率に基づいて設定する。よって、設定例１では、URLLCデータ用PT-RSのMCSしきい値の設定のための新たな上位レイヤ信号は不要である。
【０１０６】
よって、設定例１によれば、上位レイヤ信号のオーバヘッドを増加させることなく、下りリンクのURLLC用PT-RSを適切に配置できる。また、設定例１では、例えば、eMBBとURLLCとの間において、同様の周波数効率に対して、同様のURLLCのPT-RS配置密度、及び、同様のCPE/ICI推定精度を実現できる。
【０１０７】
＜設定例２＞
設定例２では、基地局１００及び移動局２００は、CP-OFDM信号波形における下りリンクにおいて、MCS index table 2における、上位レイヤ信号によって設定されたMCSしきい値に相当するMCS indexに対応する「変調多値数（Qm）」に基づいて、MCS index table 3におけるMCS indexをURLLCデータ用PT-RSのMCSしきい値に設定する。
【０１０８】
なお、設定例２において、後述するURLLC用のMCSしきい値の設定方法が設定例１と異なる。一方、設定例２において、基地局１００及び移動局２００のURLLC用のMCSしきい値の設定方法以外の他の動作については設定例１と同様であるのでその説明を省略する。
【０１０９】
例えば、基地局１００及び移動局２００は、MCS index table 2において移動局２００に対して設定されたptrs-MCSiに相当するMCS indexに対応する変調多値数（Qm）と同様の変調多値数に対応するMCS index table 3のMCS indexを、URLLC用のMCSしきい値に設定する。
【０１１０】
ここで、一例として、上位レイヤ信号によってMCS index table 2及びMCSしきい値ptrs-MCS1=11が設定される場合について説明する。
【０１１１】
この場合、基地局１００及び移動局２００は、上位レイヤ信号によって設定されたMCS index table 2（例えば、図２）を参照し、MCSしきい値ptrs-MCS1に相当するMCS index (IMCS) = 11に対応する変調多値数（Qm）の値=6を確認する。
【０１１２】
次に、基地局１００及び移動局２００は、URLLCデータの変調に使用するMCS index table 3（例えば、図３）を参照し、MCS table 2のMCS index (IMCS) = 11に対応する変調多値数（Qm）と同一の変調多値数（Qm）=6に対応するMCS indexを、URLLC用のMCSしきい値ptrs-MCS1_Uに設定する。基地局１００及び移動局２００は、ptrs-MCS1_Uを記憶する。
【０１１３】
例えば、図３に示すMCS index table 3において、MCS table 2のMCS index (IMCS) = 11に対応する変調多値数（Qm）と同一の変調多値数（Qm）=6に対応するMCS indexは、IMCS=21〜28の８通りある。基地局１００及び移動局２００は、MCS index table 3において変調多値数（Qm）=6に対応するMCS indexのうちの何れかを、URLLC用のMCS しきい値ptrs-MCS1_Uに設定すればよい。
【０１１４】
例えば、基地局１００及び移動局２００は、MCS index table 3において変調多値数（Qm）=6に対応するMCS indexのうち、最小のMCS index=21をURLLC用のMCSしきい値ptrs-MCS1_Uに設定してもよい。これにより、PT-RSが配置されやすくなり、PT-RSの配置密度が不要に低くならないので、移動局２００におけるCPE/ICI推定精度を向上させることができる。
【０１１５】
または、基地局１００及び移動局２００は、例えば、MCS index table 3において変調多値数（Qm）=6に対応するMCS indexのうち、最大のMCS index=28をURLLC用のMCSしきい値ptrs-MCS1_Uに設定してもよい。これにより、PT-RSが配置されにくくなり、PT-RSの配置密度が不要に高くならないので、PT-RSによるオーバヘッドを低減できる。
【０１１６】
または、基地局１００及び移動局２００は、例えば、MCS index table 3において変調多値数（Qm）=6に対応するMCS indexのうち、他の値（周波数効率又は符号化率）がMCS index table 2のMCS index=11の値と同様のMCS index（例えば、MCS index=22）をURLLC用のMCS しきい値ptrs-MCS1_Uに設定してもよい。なお、URLLCデータ用PT-RSのMCSしきい値には、例えば、符号化率及び周波数効率が規定されていないreserved MCS indexは設定されない。
【０１１７】
基地局１００及び移動局２００は、ptrs-MCS2、ptrs-MCS3についても同様に、URLLC用のMCSしきい値ptrs-MCS2_U及びptrs-MCS3_Uに読み替え、ptrs-MCS2_U及びptrs-MCS3_Uを記憶する。
【０１１８】
ここで、例えば、MCS index table 2においてMCS index < ptrs-MCS1=11に相当する「Qm < 6」に対応するMCSではPT-RSが配置されず（「PT-RS is not present」に対応）、他のMCS（例えば、MCS index ≧ ptrs-MCS1=11）ではPT-RSが配置される（例えば、LPT-RS = 1、2又は4の何れかに対応）ことが、MCSしきい値ptrs-MCS1=11を設定する上位レイヤの意図である。
【０１１９】
また、設定例２では、MCS table 3においてQm = 6に対応するMCSしきい値ptrs-MCS1_Uが設定されるので、MCS index table 2と同様、「Qm < 6」に対応するMCSではPT-RSが配置されず（「PT-RS is not present」に対応）、他のMCS（例えば、MCS index ≧ ptrs-MCS1_U）ではPT-RSが配置される（例えば、LPT-RS = 1、2又は4の何れかに対応）ことになる。
【０１２０】
よって、上位レイヤ信号によって設定されるMCSしきい値ptrs-MCSiが、URLLCデータ用PT-RSのMCSしきい値ptrs-MCSi_Uに読み替えられることにより、URLLCデータの送受信時においても、MCSしきい値ptrs-MCS1=11を設定する上位レイヤの意図を反映したPT-RSの送受信が可能となる。
【０１２１】
このように、設定例２によれば、上位レイヤ信号によって設定されるMCS index tableと、データの変復調用に参照されるMCS index tableとが異なる場合でも、データの変復調に使用されるMCSに適したPT-RSの配置が設定される。
【０１２２】
また、移動局２００は、URLLCデータ用PT-RSのMCSしきい値を、上位レイヤ信号によって設定されているMCSしきい値、及び、移動局２００が保持している複数のMCS index tableにおける変調多値数に基づいて設定する。よって、設定例２では、URLLCデータ用PT-RSのMCSしきい値の設定のための新たな上位レイヤ信号は不要である。
【０１２３】
よって、設定例２によれば、上位レイヤ信号のオーバヘッドを増加させることなく、URLLC用PT-RSを適切に配置できる。また、設定例２では、例えば、eMBBとURLLCとの間において、同様の変調多値数に対して、同様のURLLCのPT-RS配置密度、及び、同様のCPE/ICI推定精度を実現できる。
【０１２４】
以上、設定例１及び設定例２について説明した。
【０１２５】
このように、本実施の形態では、基地局１００は、上位レイヤ信号によって移動局２００に設定されるMCSしきい値に基づいて、URLLCデータ用PT-RSのMCSしきい値を決定し、URLLCデータ用PT-RSのMCSしきい値に基づいて配置されるPT-RSを送信する。また、移動局２００は、上位レイヤ信号によって移動局２００に設定されるMCSしきい値に基づいて、URLLCデータ用PT-RSのMCSしきい値を決定し、URLLCデータ用PT-RSのMCSしきい値に基づいて配置されるPT-RSを受信する。
【０１２６】
これにより、本実施の形態によれば、下りリンクにおいて、上位レイヤ信号のオーバヘッドを増加させることなく、URLLC用PT-RSを適切に配置できる。また、本実施の形態によれば、URLLCデータの送受信において、上位レイヤ信号によって設定されたMCS（例えば、eMBB用のMCS）と同様のMCSに対して同様のPT-RS配置密度及びCPE/ICI推定精度を実現できる。
【０１２７】
なお、設定例１又は設定例２において、上位レイヤ信号によって設定されるMCS index tableにおけるMCSしきい値に対応するMCSの内容（例えば、変調多値数又は周波数効率）と同一の内容のMCSが、URLLCデータの変復調に使用するMCS index tableに存在しない場合がある。この場合、基地局１００及び移動局２００は、上位レイヤ信号によって設定されるMCS index tableにおけるMCSしきい値に対応するMCSの内容に近似する高い値（又は低い値）に対応するMCS indexを、URLLCデータ用PT-RSのMCSしきい値に設定してもよい。
【０１２８】
例えば、設定例１において、MCS index table 2のptrs-MCSiに対応する周波数効率（SE）と同一の周波数効率がMCS index table 3に存在しない場合、MCS index table 3に含まれるMCS indexに対応する周波数効率（SE）のうち、「MCS index table 2のptrs-MCSiに対応するSE以下で最大のSE」に対応するMCS indexのうち最大値(または最小値)、又は、「MCS index table 2のptrs-MCSiに対応するSE以上で最小のSE」に対応するMCS indexのうち最小値(または最大値)を、URLLC用のMCSしきい値に設定してもよい。
【０１２９】
同様に、設定例２において、MCS index table 2のptrs-MCSiに対応する変調多値数Qmと同一の変調多値数QmがMCS index table 3に存在しない場合、例えば、MCS index table 3に記載されたMCS indexに対応する変調多値数Qmのうち、「MCS index table 2のptrs-MCSiに対応するQm以下で最大のQm」に対応するMCS indexのうち最大値(または最小値)、又は、「MCS index table 2においてptrs-MCSiに対応するQm以上で最小のQm」に対応するMCS indexのうち最小値(または最大値)を、URLLC用のMCSしきい値に設定してもよい。
【０１３０】
上記の何れにおいても、小さめのMCS indexが選択される場合にはPT-RSの配置密度が不要に低くならず、CPE/ICI推定精度が劣化するのを防ぐことができる。一方、大きめのMCS indexが選択される場合にはPT-RSの配置密度が不要に高くならず、PT-RSのオーバヘッドが不要に増加することを防ぐことができる。
【０１３１】
（実施の形態２）
本実施の形態では、上りリンクにおいて、送信機（移動局）が受信機（基地局）に対してPT-RSを送信する場合について説明する。
【０１３２】
［通信システムの概要］
本実施の形態に係る通信システムは、移動局３００（送信機）及び基地局４００（受信機）を備える。
【０１３３】
図１４は、本実施の形態に係る移動局３００の一部の構成例を示すブロック図である。図１４に示す移動局３００において、制御部３０６は、参照信号（例えば、PT-RS）の配置の決定（例えば、配置密度の決定）に用いる第１のしきい値（例えば、上位レイヤ信号によって設定されるMCSしきい値）に基づいて、第２のしきい値（例えば、データの変復調に用いるMCSしきい値）を決定する。送信部３１０は、第２のしきい値に基づいて配置される参照信号を送信する。
【０１３４】
図１５は、本実施の形態に係る基地局４００の一部の構成例を示すブロック図である。図１５に示す基地局４００において、制御部４０１は、参照信号（例えば、PT-RS）の配置の決定（例えば、配置密度の決定）に用いる第１のしきい値（例えば、上位レイヤ信号によって設定されるMCSしきい値）に基づいて、第２のしきい値（例えば、データの変復調に用いるMCSしきい値）を決定する。受信部４０７は、第２のしきい値に基づいて配置される参照信号を受信する。
【０１３５】
［移動局の構成］
図１６は、本実施の形態に係る移動局３００（送信機）の構成例を示すブロック図である。なお、図１６において、移動局３００は、アンテナ３０１と、受信部３０２と、信号分離部３０３と、復調部３０４と、誤り訂正復号部３０５と、制御部３０６と、誤り訂正符号化部３０７と、変調部３０８と、信号割当部３０９と、送信部３１０と、を有する。
【０１３６】
アンテナ３０１は、送信部３１０から入力される信号を基地局４００に向けて放射する。また、アンテナ３０１は、基地局４００から送信される信号を受信し、受信信号を受信部３０２に出力する。
【０１３７】
受信部３０２は、アンテナ３０１から入力される受信信号に対して、周波数変換などの無線受信処理を行い、無線受信処理後の信号を信号分離部３０３に出力する。
【０１３８】
信号分離部３０３は、受信部３０２から入力される信号の中から、DCIとデータ信号（例えば、上位レイヤ信号を含む）とを分離し、DCIを制御部３０６に出力し、データ信号を復調部３０４に出力する。
【０１３９】
復調部３０４は、信号分離部３０３から入力されるデータ信号を復調し、復調信号を誤り訂正復号部３０５に出力する。
【０１４０】
誤り訂正復号部３０５は、復調部３０４から入力される復調信号を復号し、得られた受信データ信号から上位レイヤ信号を抽出して、制御部３０６に出力する。
【０１４１】
制御部３０６は、誤り訂正復号部３０５から入力される上位レイヤ信号に含まれる情報に基づいて、移動局３００に設定されるMCS index tableの種類、及び、MCSしきい値を判断する。
【０１４２】
また、制御部３０６は、信号分離部３０３から入力されるDCI又は当該DCIに含まれる情報に基づいて、データのトラフィックタイプ（例えば、eMBB又はURLLC等）、スケジューリングされたMCS（例えば、MCS index）、及び、各信号のリソース割り当てを判断する。制御部３０６は、判断したMCS indexによって特定されるMCSを示すMCS情報を変調部３０８に出力し、リソース割り当てを示すリソース情報を信号割当部３０９に出力する。
【０１４３】
また、制御部３０６は、例えば、トラフィックタイプがURLLCであり、上位レイヤ信号によって移動局３００に設定されたMCS index tableがURLLCデータの送信時に使用するMCS index table（例えば、MCS index table 3）と異なる場合、上位レイヤ信号によって設定されたMCSしきい値を、URLLCデータの送信時に使用するMCS index tableに対応する値（例えば、URLLCデータ用PT-RSのMCSしきい値）に読み替える。そして、制御部３０６は、読み替えたMCSしきい値と、DCIによって通知されたMCS indexとに基づいてPT-RSの配置密度を導出し、導出した配置密度を用いて、PT-RSを割り当てるリソースを決定し、決定した割当リソースを信号割当部３０９に出力する。なお、なお、URLLCデータ用PT-RSのMCSしきい値の設定方法の詳細については後述する。
【０１４４】
誤り訂正符号化部３０７は、入力される送信データ信号（換言すると、上りリンクデータ）を誤り訂正符号化し、誤り訂正符号化後の信号を変調部３０８に出力する。
【０１４５】
変調部３０８は、制御部３０６から入力されるMCS情報に基づいて、誤り訂正符号化部３０７から入力される信号に対して変調処理を施し、変調後の信号を信号割当部３０９に出力する。
【０１４６】
信号割当部３０９は、例えば、変調部３０８から入力される信号（送信データ信号）、又は、参照信号（例えば、DMRS又はPT-RS）を、時間・周波数領域に配置し、配置後の信号を送信部３１０に出力する。このとき、信号割当部３０９は、制御部３０６から入力されるリソース情報に基づいて、各信号をリソースに配置（割り当て）する。
【０１４７】
送信部３１０は、信号割当部３０９から入力される信号に対して、搬送波を用いた周波数変換などの無線送信処理を行い、無線送信処理後の信号をアンテナ３０１に出力する。
【０１４８】
［基地局の構成］
図１７は、本実施の形態に係る基地局４００（受信機）の構成例を示すブロック図である。図１７において、基地局４００は、制御部４０１と、誤り訂正符号化部４０２と、変調部４０３と、信号割当部４０４と、送信部４０５と、アンテナ４０６と、受信部４０７と、信号分離部４０８と、チャネル推定部４０９と、CPE/ICI推定部４１０と、復調部４１１と、誤り訂正復号部４１２と、を有する。
【０１４９】
制御部４０１には、移動局の性能を示す情報（例えば、UE capability）が入力される。制御部４０１は、例えば、移動局の性能を示す情報に基づいて、移動局３００が使用するMCS index table又はMCSしきい値を決定する。制御部４０１は、決定したMCS index table又はMCSしきい値を示す情報を含む上位レイヤ信号を誤り訂正符号化部４０２に出力する。
【０１５０】
また、制御部４０１は、上りリンクデータ（例えば、eMBBデータ又はURLLCデータ）の受信時に使用するMCS（例えば、MCS index）又は各信号を割り当てるリソースを決定する。制御部４０１は、決定したMCSを示すMCS情報を復調部４１１に出力し、決定したMCS及びリソースを含むDCIを信号割当部４０４に出力する。
【０１５１】
また、制御部４０１は、上位レイヤ信号によって移動局３００に設定したMCS index tableがURLLCデータの受信時に使用するMCS index table（例えば、MCS index table 3）と異なる場合、URLLCデータの受信時において、上位レイヤ信号によって移動局３００に設定したMCSしきい値を、URLLCデータの受信時に使用するMCS index tableに対応する値（例えば、URLLCデータ用PT-RSのMCSしきい値）に読み替える。そして、制御部４０１は、読み替えたMCSしきい値と、DCIによって移動局３００へ通知されるMCS indexの値とに基づいて、PT-RSの配置密度を導出し、導出した配置密度を示すPT-RS配置密度情報を信号分離部４０８に出力する。なお、URLLCデータ用PT-RSのMCSしきい値の設定方法の詳細については後述する。
【０１５２】
誤り訂正符号化部４０２は、制御部４０１から入力される上位レイヤ信号を誤り訂正符号化し、誤り訂正符号化後の信号を変調部４０３に出力する。
【０１５３】
変調部４０３は、誤り訂正符号化部４０２から入力される信号に対して変調処理を施し、変調後の信号を信号割当部４０４に出力する。
【０１５４】
信号割当部４０４は、変調部４０３から入力される信号、及び、制御部４０１から入力されるDCIを、時間・周波数領域にマッピングし、マッピング後の信号を送信部４０５に出力する。
【０１５５】
送信部４０５は、信号割当部４０４から入力される信号に対して、搬送波を用いた周波数変換などの無線送信処理を行い、無線送信処理後の信号をアンテナ４０６に出力する。
【０１５６】
アンテナ４０６は、移動局３００（図１６を参照）から送信される信号を受信し、受信信号を受信部４０７に出力する。また、アンテナ４０６は、送信部４０５から入力される信号を移動局３００に向けて放射（送信）する。
【０１５７】
受信部４０７は、アンテナ４０６から入力される受信信号に対して、周波数変換などの無線受信処理を行い、無線受信処理後の信号を信号分離部４０８に出力する。
【０１５８】
信号分離部４０８は、受信部４０７から入力される信号の中のデータ信号、DMRS、又は、PT-RSがマッピングされた時間・周波数領域の位置を特定し、分離する。このとき、信号分離部４０８は、制御部４０１から入力されるPT-RS配置密度情報に基づいて、PT-RSを分離する。信号分離部４０８は、分離した信号のうち、データ信号を復調部４１１に出力し、DMRSをチャネル推定部４０９及びCPE/ICI推定部４１０に出力し、PT-RSをチャネル推定部４０９及びCPE/ICI推定部４１０に出力する。
【０１５９】
チャネル推定部４０９は、信号分離部４０８から入力されるDMRSを用いてチャネルを推定し、チャネル推定値を復調部４１１に出力する。このとき、チャネル推定部４０９は、PT-RSを用いてチャネルを推定してもよい。
【０１６０】
CPE/ICI推定部４１０は、信号分離部４０８から入力されるPT-RS及びDMRSを用いてCPE/ICIを推定し、CPE/ICI推定値を復調部４１１に出力する。
【０１６１】
復調部４１１は、制御部４０１から入力されるMCS情報、チャネル推定部４０９から入力されるチャネル推定値、及び、CPE/ICI推定部４１０から入力されるCPE/ICI推定値を用いて、信号分離部４０８から入力されるデータ信号を復調する。復調部４１１は、復調信号を誤り訂正復号部４１２に出力する。
【０１６２】
誤り訂正復号部４１２は、復調部４１１から入力される復調信号を復号し、得られた受信データ信号を出力する。
【０１６３】
［移動局３００及び基地局４００の動作］
次に、移動局３００（図１６を参照）及び基地局４００（図１７を参照）の動作について詳細に説明する。
【０１６４】
図１８は移動局３００及び基地局４００の処理の一例を示すシーケンス図である。なお、図１８において、実施の形態１（図１１）と同様の処理には同一の符号を付し、その説明を省略する。
【０１６５】
図１８において、移動局３００は、上りリンクデータ（例えば、URLLCデータ及びPT-RSを含む）を基地局４００へ送信する（ＳＴ２０１）。なお、移動局３００は、MCS index table 3に記載のMCSを用いて、URLLCデータを変調する。また、移動局３００は、ＳＴ１０７において設定したURLLCデータ用PT-RSのMCSしきい値ptrs-MCSi_Uに基づいて、PT-RSの配置密度を決定する。
【０１６６】
基地局４００は、移動局３００から送信された上りリンクデータに対して、PT-RSを用いたCPE/ICI補正を行い、上りリンクデータの復調を行う（ＳＴ２０２）。なお、基地局４００は、ＳＴ１０６において設定したURLLCデータ用PT-RSのMCSしきい値ptrs-MCSi_Uに基づいて、上りリンクデータにおけるPT-RSの配置密度を特定する。
【０１６７】
次に、移動局３００及び基地局４００におけるURLLCデータ用PT-RSのMCSしきい値の設定方法（例えば、図１８のＳＴ１０６及びＳＴ１０７の処理）の詳細について説明する。
【０１６８】
以下では、一例として、上位レイヤ信号によって移動局３００に対してMCS index table 2が設定されている。また、上位レイヤ信号によって移動局３００に対して、MCS index table 2に適したMCSしきい値（ptrs-MCSi（例えば、i=1〜3））が設定されている。また、移動局３００及び基地局４００は、例えば、URLLCデータの送受信の際、上位レイヤ信号による設定に依らず、MCS index table 3を使用する。
【０１６９】
また、以下では、上位レイヤ信号によってMCS index table 2の使用が設定されている移動局３００が、基地局４００に対して、例えば、高い周波数帯及び高度な変調多値数を用い、かつ、トラフィックタイプがURLLCであるデータ及びPT-RSを送信する場合について説明する。
【０１７０】
この場合、移動局３００及び基地局４００は、上位レイヤ信号によって設定されたMCSしきい値に相当するMCS indexに対応するMCS（例えば、変調多値数又は周波数効率）に基づいて、URLLCデータの変復調に使用するMCS index table 3におけるMCS indexをURLLCデータ用PT-RSのMCSしきい値（ptrs-MCSi_U）に設定する。
【０１７１】
例えば、基地局４００及び移動局３００は、上位レイヤ信号によって設定されたMCSしきい値に相当するMCS indexに対応するMCSの値（例えば、変調多値数又は周波数効率）と同様の値を有するMCSに対応するMCS indexを、URLLCデータの変復調に使用するMCS index table 3から選択し、選択されたMCS indexを、URLLCデータ用PT-RSのMCSしきい値に設定する。
【０１７２】
そして、移動局３００及び基地局４００は、URLLCデータ用PT-RSのMCSしきい値を、URLLCデータ用PT-RSの配置密度の導出に用いる。
【０１７３】
以下、URLLCデータ用PT-RSのMCSしきい値を設定する設定例３及び設定例４について説明する。
【０１７４】
＜設定例３＞
設定例３では、移動局３００及び基地局４００は、CP-OFDM信号波形における上りリンクにおいて、MCS index table 2における、上位レイヤ信号によって設定されたMCSしきい値に相当するMCS indexに対応する「周波数効率（SE）」に基づいて、MCS index table 3におけるMCS indexをURLLCデータ用PT-RSのMCSしきい値に設定する。
【０１７５】
なお、設定例３において、上位レイヤ信号によって設定されたptrs-MCSi（i=1, 2及び3）の各値に基づいて、URLLCデータ用PT-RSのMCSしきい値を設定する動作は、設定例１と同様である。
【０１７６】
例えば、移動局３００は、MCS index table 2において移動局３００に対して設定されたptrs-MCSiに相当するMCS indexに対応する周波数効率（SE）と同様（例えば、同一又は近い値）の周波数効率（SE）に対応するMCS index table 3のMCS indexを、URLLC用のMCSしきい値に設定する。
【０１７７】
これにより、移動局３００は、URLLCデータの送受信時におけるMCS index（IMCS）と、PT-RSの時間的配置密度（LPT-RS）との関係（例えば、図１３を参照）を特定する。移動局３００は、特定したURLLCデータの送受信時におけるMCS index（IMCS）と、PT-RSの時間的配置密度（LPT-RS）との関係に基づいて、URLLC用PT-RSの時間的配置密度を導出する。
【０１７８】
移動局３００は、以上の手順に基づいて準備したPT-RSをリソースに配置し、基地局４００に対して送信する。
【０１７９】
一方、基地局４００は、移動局３００から送信されるURLLC用データを復調する際、MCS index table 3を使用すると判断する。そして、基地局４００は、URLLCデータ用PT-RSの配置密度を決定する際、移動局３００と同様にして、移動局３００に対して上位レイヤ信号によって設定されたptrs-MCSi（i=1, 2及び3）の各値を、URLLCデータ用PT-RSのMCSしきい値（例えば、ptrs-MCSi_U（i=1, 2及び3））の各値に読み替える。
【０１８０】
そして、基地局４００は、導出した時間的配置密度によってリソースに配置されたPT-RSを受信し、受信したPT-RSを用いて、URLLCデータを復調（例えば、CPE/ICI補正）する。
【０１８１】
このように、設定例３によれば、設定例１（下りリンクの場合）と同様、上位レイヤ信号のオーバヘッドを増加させることなく、上りリンクのURLLC用PT-RSを適切に配置できる。また、設定例３では、例えば、eMBBとURLLCとの間において、同様の周波数効率に対して、同様のURLLCのPT-RS配置密度、及び、同様のCPE/ICI推定精度を実現できる。
【０１８２】
＜設定例４＞
設定例４では、移動局３００及び基地局４００は、CP-OFDM信号波形における上りリンクにおいて、MCS index table 2における、上位レイヤ信号によって設定されたMCSしきい値に相当するMCS indexに対応する「変調多値数」に基づいて、MCS index table 3におけるMCS indexをURLLCデータ用PT-RSのMCSしきい値に設定する。
【０１８３】
なお、設定例４において、後述するURLLC用のMCSしきい値の設定方法が設定例３と異なる。一方、設定例４において、移動局３００及び基地局４００のURLLC用のMCSしきい値の設定方法以外の他の動作については設定例３と同様であるのでその説明を省略する。
【０１８４】
また、設定例４において、上位レイヤ信号によって設定されたptrs-MCSi（i=1, 2及び3）の各値に基づいて、URLLCデータ用PT-RSのMCSしきい値を設定する動作は、設定例２と同様である。
【０１８５】
例えば、移動局３００及び基地局４００は、MCS index table 2において移動局３００に対して設定されたptrs-MCSiに相当するMCS indexに対応する変調多値数（Qm）と同様の変調多値数に対応するMCS index table 3のMCS indexを、URLLC用のMCSしきい値に設定する。
【０１８６】
このように、設定例４によれば、設定例２と同様、上位レイヤ信号のオーバヘッドを増加させることなく、URLLC用PT-RSを適切に配置できる。また、設定例４では、例えば、eMBBとURLLCとの間において、同様の変調多値数に対して、同様のURLLCのPT-RS配置密度、及び、同様のCPE/ICI推定精度を実現できる。
【０１８７】
以上、設定例３及び設定例４について説明した。
【０１８８】
このように、本実施の形態では、移動局３００は、上位レイヤ信号によって移動局３００に設定されるMCSしきい値に基づいて、URLLCデータ用PT-RSのMCSしきい値を決定し、URLLCデータ用PT-RSのMCSしきい値に基づいて配置されるPT-RSを送信する。また、基地局４００は、上位レイヤ信号によって移動局３００に設定されるMCSしきい値に基づいて、URLLCデータ用PT-RSのMCSしきい値を決定し、URLLCデータ用PT-RSのMCSしきい値に基づいて配置されるPT-RSを受信する。
【０１８９】
これにより、本実施の形態によれば、上りリンクにおいて、上位レイヤ信号のオーバヘッドを増加させることなく、URLLC用PT-RSを適切に配置できる。また、本実施の形態によれば、URLLCデータの送受信において、上位レイヤ信号によって設定されたMCS（例えば、eMBB用のMCS）と同様のMCSに対して同様のPT-RS配置密度及びCPE/ICI推定精度を実現できる。
【０１９０】
なお、設定例３又は設定例４において、上位レイヤ信号によって設定されるMCS index tableにおけるMCSしきい値に対応するMCSの内容（例えば、変調多値数又は周波数効率）と同一の内容のMCSが、URLLCデータの変復調に使用するMCS index tableに存在しない場合がある。この場合、移動局３００及び基地局４００は、上位レイヤ信号によって設定されるMCS index tableにおけるMCSしきい値に対応するMCSの内容に近似する高い値（又は低い値）に対応するMCS indexを、URLLCデータ用PT-RSのMCSしきい値に設定してもよい。
【０１９１】
例えば、設定例３において、MCS index table 2のptrs-MCSiに対応する周波数効率（SE）と同一の周波数効率がMCS index table 3に存在しない場合、MCS index table 3に含まれるMCS indexに対応する周波数効率（SE）のうち、「MCS index table 2のptrs-MCSiに対応するSE以下で最大のSE」に対応するMCS indexのうち最大値(または最小値)、又は、「MCS index table 2のptrs-MCSiに対応するSE以上で最小のSE」に対応するMCS indexのうち最小値(または最大値)を、URLLC用のMCSしきい値に設定してもよい。
【０１９２】
同様に、設定例４において、MCS index table 2のptrs-MCSiに対応する変調多値数Qmと同一の変調多値数QmがMCS index table 3に存在しない場合、例えば、MCS index table 3に記載されたMCS indexに対応する変調多値数Qmのうち、「MCS index table 2のptrs-MCSiに対応するQm以下で最大のQm」に対応するMCS indexのうち最大値(または最小値)、又は、「MCS index table 2のptrs-MCSiに対応するQm以上で最小のQm」に対応するMCS indexのうち最小値(または最大値)を、URLLC用のMCSしきい値に設定してもよい。
【０１９３】
上記の何れにおいても、小さめのMCS indexが選択される場合にはPT-RSの配置密度が不要に低くならず、CPE/ICI推定精度が劣化するのを防ぐことができる。一方、大きめのMCS indexが選択される場合にはPT-RSの配置密度が不要に高くならず、PT-RSのオーバヘッドが不要に増加することを防ぐことができる。
【０１９４】
（実施の形態３）
本実施の形態では、上位レイヤ信号によって設定されたMCSしきい値に相当するMCS indexのMCS（例えば、変調多値数又は周波数効率）と、同様のMCSを有するMCS（又はMCS index）を、URLLCデータの変復調に使用するMCS index table 3から選択し、更に、選択されたMCS indexに対してオフセットを与えたMCS indexを、URLLCデータ用PT-RSのMCSしきい値ptrs-MCSi_Uに設定する。
【０１９５】
まず、下りリンクにおけるURLLCデータ用PT-RSのMCSしきい値を設定する設定例５及び設定例６について説明する。
【０１９６】
なお、設定例５及び設定例６に係る基地局及び移動局は、実施の形態１に係る基地局１００及び移動局２００と基本構成が共通するので、図９及び図１０を援用して説明する。
【０１９７】
また、以下では、一例として、上位レイヤ信号によって移動局２００に対してMCS index table 2が設定されている。また、上位レイヤ信号によって移動局２００に対してMCS index table 2に適したMCSしきい値（ptrs-MCSi（例えば、i=1〜3））が設定されている。また、基地局１００及び移動局２００は、例えば、URLLCデータの送受信の際、上位レイヤ信号による設定に依らず、MCS index table 3を使用する。
【０１９８】
また、以下では、基地局１００が、上位レイヤ信号によってMCS index table 2の使用が設定されている移動局２００に対して、例えば、高い周波数帯及び高度な変調多値数を用い、かつ、トラフィックタイプがURLLCであるデータ及びPT-RSを送信する場合について説明する。
【０１９９】
＜設定例５＞
設定例５では、基地局１００及び移動局２００は、CP-OFDM信号波形における下りリンクにおいて、MCS index table 2における、上位レイヤ信号によって設定されたMCSしきい値に相当するMCS indexに対応する「周波数効率（SE）」に基づいて、MCS index table 3におけるMCS indexを選択し、更に、選択したMCS indexに対してオフセットを与えた値（例えば、選択したMCS indexより小さい値）を、URLLCデータ用PT-RSのMCSしきい値に設定する。
【０２００】
なお、設定例５において、URLLC用のMCSしきい値の設定方法が実施の形態１の設定例１と異なる。一方、基地局１００及び移動局２００のURLLC用のMCSしきい値の設定方法以外の他の動作については実施の形態１の設定例１と同様であるのでその説明を省略する。
【０２０１】
例えば、基地局１００及び移動局２００は、MCS index table 2において移動局２００に対して設定されたptrs-MCSiに相当するMCS indexに対応する周波数効率（SE）と同様の周波数効率に対応するMCS index table 3のMCS indexを選択する。そして、基地局１００及び移動局２００は、MCS index table 3において、選択したMCS indexよりも所定値小さいMCS indexを、URLLC用のMCSしきい値に設定する。
【０２０２】
ここで、一例として、上位レイヤ信号によってMCS index table 2及びMCSしきい値ptrs-MCS1=11が設定される場合について説明する。
【０２０３】
この場合、基地局１００及び移動局２００は、上位レイヤ信号によって設定されたMCS index table 2（例えば、図２）を参照し、MCSしきい値ptrs-MCS1に相当するMCS index (IMCS) = 11に対応する周波数効率（SE）の値=2.7305を確認する。
【０２０４】
次に、基地局１００及び移動局２００は、URLLCデータの変調に使用するMCS index table 3（例えば、図３）を参照し、MCS table 2のMCS index (IMCS) = 11に対応する周波数効率と同一の周波数効率（SE）=2.7305に対応するMCS index (IMCS) = 22を確認する。
【０２０５】
そして、基地局１００及び移動局２００は、MCS index table 3において、MCS index (IMCS) = 22よりも所定値（例えば、7）だけ小さい値であるMCS index (IMCS) = 15を、URLLC用のMCS しきい値ptrs-MCS1_Uに設定する。基地局１００及び移動局２００は、ptrs-MCS1_Uを記憶する。なお、所定値（換言するとオフセット値）は7に限らず、他の値でもよい。
【０２０６】
基地局１００及び移動局２００は、ptrs-MCS2、ptrs-MCS3についても同様に、URLLC用のMCSしきい値ptrs-MCS2_U及びptrs-MCS3_Uに読み替え、ptrs-MCS2_U及びptrs-MCS3_Uを記憶する。
【０２０７】
ここで、例えば、図３に示すMCS index table 3において、MCS index (IMCS) = 15に対応する周波数利用効率（SE）は「1.3281」である。よって、URLLCデータ用PT-RSのMCSしきい値ptrs-MCS1_U=15の場合、図１３に示す関係を参照した場合、「SE < 1.3281」に対応するMCSではPT-RSが配置されず（「PT-RS is not present」に対応）、他のMCS（例えば、MCS index ≧ ptrs-MCS1_U=15）ではPT-RSが配置される（例えば、LPT-RS = 1、2又は4の何れかに対応）ことになる。
【０２０８】
よって、URLLCデータの送受信時には、上位レイヤ信号によって設定されるMCSしきい値を用いる場合（例えば、eMBBデータの送受信時）と比較して、同様のMCSが設定される場合のPT-RSの配置密度が高くなる。
【０２０９】
よって、URLLCデータの送受信時には、eMBBデータの送受信時よりも信頼性の高い送受信が可能となる。
【０２１０】
このように、設定例５によれば、上位レイヤ信号によって設定されるMCS index tableと、データの変復調用に参照されるMCS index tableとが異なる場合でも、データの変復調に使用されるMCSに適したPT-RSの配置が設定される。
【０２１１】
また、設定例５によれば、同様のMCSが通知される場合でも、eMBBよりもURLLCの方がPT-RS配置密度を高く設定されるので、URLLCにおけるデータ伝送の信頼性を比較的高くすることができる。
【０２１２】
＜設定例６＞
設定例６では、基地局１００及び移動局２００は、CP-OFDM信号波形における下りリンクにおいて、MCS index table 2における、上位レイヤ信号によって設定されたMCSしきい値に相当するMCSに対応する「変調多値数」に基づいて、MCS index table 3におけるMCS indexを選択し、更に、選択したMCS indexに対してオフセットを与えた値（例えば、選択したMCS indexより小さい値）を、URLLCデータ用PT-RSのMCSしきい値に設定する。
【０２１３】
なお、設定例６において、URLLC用のMCSしきい値の設定方法が実施の形態１の設定例２と異なる。一方、基地局１００及び移動局２００のURLLC用のMCSしきい値の設定方法以外の他の動作については実施の形態１の設定例２と同様であるのでその説明を省略する。
【０２１４】
例えば、基地局１００及び移動局２００は、MCS index table 2において移動局２００に対して設定されたptrs-MCSiに相当するMCS indexに対応する変調多値数（Qm）と同様の変調多値数に対応するMCS index table 3のMCS indexを選択する。そして、基地局１００及び移動局２００は、MCS index table 3において、選択したMCS indexよりも所定値小さいMCS indexを、URLLC用のMCSしきい値に設定する。
【０２１５】
ここで、一例として、上位レイヤ信号によってMCS index table 2及びMCSしきい値ptrs-MCS1=11が設定される場合について説明する。
【０２１６】
この場合、基地局１００及び移動局２００は、上位レイヤ信号によって設定されたMCS index table 2（例えば、図２）を参照し、MCSしきい値ptrs-MCS1に相当するMCS index (IMCS) = 11に対応する変調多値数（Qm）の値=6を確認する。
【０２１７】
次に、基地局１００及び移動局２００は、URLLCデータの変調に使用するMCS index table 3（例えば、図３）を参照し、MCS table 2のMCS index (IMCS) = 11に対応する変調多値数と同一の変調多値数（Qm）=6に対応するMCS index(IMCS)を確認する。ここで、MCS index table 3において、同一の変調多値数（例えば、Qm=6）に対応する複数のMCS index(IMCS)のうち何れか１つが選択されればよい。例えば、同一の変調多値数（例えば、Qm=6）に対応するMCS index(IMCS)のうち、最小のMCS index=21が選択されてもよく、最大のMCS index=28が選択されてもよく、上記以外のMCS indexが選択されてもよい。
【０２１８】
そして、基地局１００及び移動局２００は、MCS index table 3において、選択されたMCS index (例えば、IMCS=21)よりも所定値（例えば、6）だけ小さい値であるMCS index (IMCS) = 15を、URLLC用のMCS しきい値ptrs-MCS1_Uに設定する。基地局１００及び移動局２００は、ptrs-MCS1_Uを記憶する。なお、所定値（換言するとオフセット値）は6に限らず、他の値でもよい。
【０２１９】
基地局１００及び移動局２００は、ptrs-MCS2、ptrs-MCS3についても同様に、URLLC用のMCSしきい値ptrs-MCS2_U及びptrs-MCS3_Uに読み替え、ptrs-MCS2_U及びptrs-MCS3_Uを記憶する。
【０２２０】
このように、設定例６によれば、上位レイヤ信号によって設定されるMCS index tableと、データの変復調用に参照されるMCS index tableとが異なる場合でも、データの変復調に使用されるMCSに対したPT-RSの配置が設定される。
【０２２１】
また、設定例６によれば、同様のMCSが通知される場合でも、eMBBよりもURLLCの方がPT-RS配置密度を高く設定されるので、URLLCにおけるデータ伝送の信頼性を比較的高くすることができる。
【０２２２】
以上、設定例５及び設定例６について説明した。
【０２２３】
次に、上りリンクにおけるURLLCデータ用PT-RSのMCSしきい値を設定する設定例７及び設定例８について説明する。
【０２２４】
なお、設定例７及び設定例８に係る移動局及び基地局は、実施の形態１に係る移動局３００及び基地局４００と基本構成が共通するので、図１６及び図１７を援用して説明する。
【０２２５】
＜設定例７＞
設定例７では、移動局３００及び基地局４００は、CP-OFDM信号波形における上りリンクにおいて、上位レイヤ信号によって設定されたMCSしきい値に相当するMCS indexに対応する「周波数効率（SE）」に基づいて、MCS index table 3におけるMCS indexを選択し、更に、選択したMCS indexに対してオフセットを与えた値（例えば、選択したMCS indexより小さい値）を、URLLCデータ用PT-RSのMCSしきい値に設定する。
【０２２６】
なお、設定例７において、URLLC用のMCSしきい値の設定方法が実施の形態２の設定例３と異なる。一方、移動局３００及び基地局４００のURLLC用のMCSしきい値の設定方法以外の他の動作については実施の形態２の設定例３と同様であるのでその説明を省略する。
【０２２７】
また、設定例７において、上位レイヤ信号によって設定されたptrs-MCSi（i=1, 2及び3）の各値に基づいて、URLLC用（例えば、MCS index table 3用）のMCS index tableにおけるMCS indexを選択する動作は、設定例５と同様である。
【０２２８】
例えば、移動局３００及び基地局４００は、MCS index table 2において移動局３００に対して設定されたptrs-MCSiに相当するMCS indexに対応する周波数効率（SE）と同様の周波数効率に対応するMCS index table 3のMCS indexを選択する。そして、移動局３００及び基地局４００は、MCS index table 3において、選択したMCS indexよりも所定値小さいMCS indexを、URLLC用のMCSしきい値に設定する。
【０２２９】
このように、設定例７によれば、設定例５（下りリンクの場合）と同様、上位レイヤ信号によって設定されるMCS index tableと、データの変復調用に参照されるMCS index tableとが異なる場合でも、データの変復調に使用されるMCSに適したPT-RSの配置が設定される。
【０２３０】
また、設定例７によれば、同様のMCSが通知される場合でも、eMBBよりもURLLCの方がPT-RS配置密度を高く設定されるので、URLLCにおけるデータ伝送の信頼性を比較的高くすることができる。
【０２３１】
＜設定例８＞
設定例８では、移動局３００及び基地局４００は、CP-OFDM信号波形における上りリンクにおいて、上位レイヤ信号によって設定されたMCSしきい値に相当するMCS indexに対応する「変調多値数（Qm）」に基づいて、MCS index table 3におけるMCS indexを選択し、更に、選択したMCS indexに対してオフセットを与えた値（例えば、選択したMCS indexより小さい値）を、URLLCデータ用PT-RSのMCSしきい値に設定する。
【０２３２】
なお、設定例８において、URLLC用のMCSしきい値の設定方法が実施の形態２の設定例４と異なる。一方、移動局３００及び基地局４００のURLLC用のMCSしきい値の設定方法以外の他の動作については実施の形態２の設定例４と同様であるのでその説明を省略する。
【０２３３】
また、設定例８において、上位レイヤ信号によって設定されたptrs-MCSi（i=1, 2及び3）の各値に基づいて、URLLC用（例えば、MCS index table 3用）の値を選択する動作は、設定例６と同様である。
【０２３４】
例えば、移動局３００及び基地局４００は、MCS index table 2において移動局３００に対して設定されたptrs-MCSiに相当するMCS indexに対応する変調多値数（Qm）と同様の変調多値数に対応するMCS index table 3のMCS indexを選択する。そして、移動局３００及び基地局４００は、MCS index table 3において、選択したMCS indexよりも所定値小さいMCS indexを、URLLC用のMCSしきい値に設定する。
【０２３５】
このように、設定例８によれば、設定例５（下りリンクの場合）と同様、上位レイヤ信号によって設定されるMCS index tableと、データの変復調用に参照されるMCS index tableとが異なる場合でも、データ変復調に使用されるMCSに適したPT-RSの配置が設定される。
【０２３６】
また、設定例８によれば、同様のMCSが通知される場合でも、eMBBよりもURLLCの方がPT-RS配置密度を高く設定されるので、URLLCにおけるデータ伝送の信頼性を比較的高くすることができる。
【０２３７】
以上、設定例７及び設定例８について説明した。
【０２３８】
以上、設定例について説明した。
【０２３９】
このように、本実施の形態では、URLLC用のMCSしきい値（MCS index）は、データの変復調に使用されるMCS index tableにおいて、上位レイヤ信号によって設定されるMCSしきい値に相当するMCS indexに対応するMCSの内容と同様の内容に対応するMCS indexに対してオフセットを与えたMCS indexである。
【０２４０】
これにより、本実施の形態によれば、例えば、URLLCデータの送受信において、上位レイヤ信号によって設定されたMCS（例えば、eMBB用のMCS）と同様のMCSに対してより信頼性を向上させたPT-RS配置密度を設定でき、CPE/ICI推定精度を向上させることができる。
【０２４１】
なお、設定例５〜設定例８において、上位レイヤ信号によって設定されるMCS index tableにおけるMCSしきい値に対応するMCSの内容（例えば、変調多値数又は周波数効率）と同一の内容のMCSが、URLLCデータの変復調に使用するMCS index tableに存在しない場合がある。この場合、基地局（基地局１００又は基地局４００）及び移動局（移動局２００又は移動局３００）は、上位レイヤ信号によって設定されるMCS index tableにおけるMCSしきい値に対応するMCSの内容に近似する高い値（又は低い値）に対応するMCS indexを選択してもよい。
【０２４２】
また、本実施の形態では、データ変復調に使用されるMCS index tableにおいて、上位レイヤ信号によって設定されたMCS index tableのMCSしきい値に対応するMCS（例えば、周波数効率又は変調多値数）と同様のMCS indexに対して更に所定値だけ小さい値をURLLC用のMCSしきい値に設定する場合について説明した。しかし、これに限らず、例えば、データ変復調に使用されるMCS index tableにおいて、上位レイヤ信号によって設定されたMCS index tableのMCSしきい値に対応するMCSと同様のMCS indexに対して更に所定値だけ大きい値を、URLLC用のMCSしきい値に設定してもよい。これにより、例えば、URLLCデータの送信において、PT-RSの配置密度が不要に高くはならず、PT-RSのオーバヘッドが不要に増加することを防ぐことができる。
【０２４３】
また、本実施の形態では、「所定値」（換言すると、読み替えられたMCS indexと新たに記憶されたMCS indexとの差分（オフセット））は、固定（preconfigured）の値でもよく、上位レイヤ信号又はDCIによって設定または通知される値でもよい。また、所定値（差分）の大きさは、MCS index tableの種類によって異なってもよく、又は、上位レイヤ信号によって設定されるMCS index tableの種類とデータの変復調に使用するMCS index tableの種類との組み合わせによって異なってもよい。
【０２４４】
一例として、設定例５において、上位レイヤ信号によってMCS index table 1が設定されている場合、URLLC用のMCSしきい値は、以下のように設定されてもよい。
【０２４５】
以下の例では、上位レイヤ信号によって移動局２００に対してMCS index table 1及びMCSしきい値ptrs-MCS1=17が設定される場合について説明する。また、上記設定例では、MCS index table 2とMCS index table 3との間において上記所定値を7としたのに対して、以下の説明では、MCS index table 1とMCS index table 3との間における上記所定値を6とする。なお、所定値は6に限らず、他の値でもよい。また、ここでは、ptrs-MCS1について説明するが、他のMCSしきい値ptrs-MCS2及びptrs-MCS3についても同様である。
【０２４６】
この場合、基地局１００及び移動局２００は、上位レイヤ信号によって設定されたMCS index table 1（例えば、図１）を参照し、MCSしきい値ptrs-MCS1に相当するMCS index (IMCS) = 17における周波数効率（SE）の値=2.5664を確認する。
【０２４７】
次に、基地局１００及び移動局２００は、URLLCデータの変調に利用するMCS index table 3（例えば、図３）を参照し、MCS table 1のMCS index (IMCS) = 17における周波数効率と同一の周波数効率（SE）=2.5664であるMCS index (IMCS) = 21を確認する。
【０２４８】
そして、基地局１００及び移動局２００は、MCS index table 3において、MCS index (IMCS) = 21よりも所定値（例えば、6）だけ小さい値であるMCS index (IMCS) = 15を、URLLC用のMCS しきい値ptrs-MCS1_Uとする。基地局１００及び移動局２００は、ptrs-MCS1_Uを記憶する。
【０２４９】
これにより、上位レイヤ信号によって設定されたMCS index table及びデータの変復調に使用されるMCS index tableの種類に応じて、より適切なMCSしきい値を使用できる。
【０２５０】
以上、本開示の各実施の形態について説明した。
【０２５１】
（他の実施の形態）
（１）上記実施の形態では、データの変復調に使用されるMCS index tableにおいて、上位レイヤ信号によって設定されたMCS index tableにおけるptrs-MCSiに対応するMCSの内容（例えば、変調多値数又は周波数効率）と同様のMCSに基づいて、ptrs-MCSi_Uを設定する場合について説明した。しかし、本開示では、これに限定されず、例えば、MCSの内容に依らずに、データの変復調に使用されるMCS index tableにおいて、ptrs-MCSiに対してオフセットを与えたMCS indexを、URLLCデータ用のptrs-MCSi_Uに決定してもよい。つまり、MCSしきい値ptrs-MCSi_Uは、MCSしきい値ptrs-MCSiにオフセットを適用して決定されてもよい。オフセットの値は、予め設定されてもよく、上位レイヤ信号又はDCIによって通知されてもよい。また、オフセットの値は、上位レイヤ信号によって設定されるMCS index tableの種類とデータの変復調に使用するMCS index tableの種類との組み合わせによって異なってもよい。
【０２５２】
（２）上記実施の形態では、一例として、データのトラフィックタイプがURLLCである場合に、MCSしきい値を読み替える場合について説明した。これに対して、例えば、データのトラフィックタイプがURLLCではなく、eMBB又はmMTCの場合、MCSしきい値を読み替えずに、上位レイヤ信号によって設定されるMCSしきい値を用いて、PT-RS配置密度を導出してもよい。
【０２５３】
または、上位レイヤ信号によって設定されるMCS index tableに対応するトラフィックタイプはeMBBに限らず、また、固定のMCS index tableを参照（使用）することが想定されるトラフィックタイプはURLLCに限らない。例えば、データのトラフィックタイプがeMBB又はmMTC、あるいは他のトラフィックタイプである場合に、または、他の何らかの条件において、MCSしきい値を読み替えてもよい。
【０２５４】
例えば、eMBBとURLLCとの間において、上記実施の形態のように、MCS index table 1 or 2（例えば、eMBB）からMCS index table 3（例えば、URLLC）へMCSしきい値を読み替えてもよく、MCS index table 3からMCS index table 1 or 2へMCSしきい値を読み替えてもよい。または、eMBBとeMBBとの間において、MCS index table 1からMCS index table 2へMCSしきい値を読み替えてもよく、MCS index table 2からMCS index table 1へMCSしきい値を読み替えてもよい。または、eMBBとmMTCとの間において、MCSしきい値を読み替えてもよい。また、eMBB、URLLC又はmMTCなどのトラフィックタイプ以外の他のタイプに対してMCSしきい値が読み替えられてもよい。
【０２５５】
（３）上記実施の形態では、上位レイヤによって設定されるMCS index tableがMCS index table 2であり、送信側が実際に参照するMCS index table（URLLCデータ用のMCS index table）がMCS index table 3である場合について説明した。しかし、上位レイヤによって設定されるMCS index tableと、送信側が実際に参照するMCS index tableとの組み合わせは、MCS index table 2とMCS index table 3との組み合わせに限定されず、他の組み合わせでもよい。
【０２５６】
また、MCS index tableは、図１、図２及び図３に示すMCS index tableに限定されない。
【０２５７】
（４）上記実施の形態では、データのトラフィックタイプがURLLCであることを判断する基準として、「DCIがMCS-C-RNTIでスクランブリングされている」ことを条件としたが、別の基準が適用されてもよい。また、「MCS-C-RNTI」という名称ではなく、例えば、「new-RNTI」等と呼ばれてもよい。
【０２５８】
（５）上記実施の形態において、データのトラフィックタイプが特定のタイプである場合、新たに選択したMCSしきい値ptrs-MCSi_U (i=1, 2, 3)に基づいて導出されるPT-RS配置密度と異なる密度（例えば、更に高い密度又は低い密度）でPT-RSが配置されてもよい。換言すると、基地局及び移動局は、データのトラフィックタイプが所定のタイプである場合、ptrs-MCSi_Uに基づいて決定されるPT-RSの配置よりも高い配置密度の参照信号の配置を設定してもよい。
【０２５９】
例えば、ptrs-MCSi_U (i=1, 2, 3)の値、DCIによって通知されたMCS index及び図１３から導出されるPT-RSの時間的密度（LPT-RS）が２であるとする。例えば、送受信するデータのトラフィックタイプがURLLCの場合、LPT-RS=2よりも高いPT-RS配置密度であることを示すLPT-RS=1に従ってPT-RSが配置されてもよい。これにより、同様のMCSでも、eMBBよりもURLLCの方が高いPT-RS配置密度が設定され、URLLCにおけるデータ伝送の信頼性を比較的高くすることができる。
【０２６０】
また同様の動作として、例えば、送受信するデータのトラフィックタイプがURLLCの場合、図１９に示すように、図１３とは異なるptrs-MCSi_UとLPT-RSとの関係（例えば、異なるLPT-RS又は異なる個数のMCSしきい値）に基づいて、LPT-RSが導出されてもよい。図１９では、例えば、図１３と比較して、LPT-RSは、比較的高いPT-RS配置密度を表す値に（すなわち、比較的低い値に）設定されている。これにより、同様のMCSであっても、eMBBよりもURLLCの方が高いPT-RS配置密度が設定され、URLLCにおけるデータ伝送の信頼性を比較的高くすることができる。
【０２６１】
また、同様の動作として、例えば、送受信するデータのトラフィックタイプがそれほどデータ伝送の信頼性を重視しないタイプである場合、上記とは反対に、LPT-RSが、比較的低いPT-RS配置密度を表す値に（すなわち、例えば、比較的高い値、又は「PT-RS is not present」に）設定されてもよい。これにより、PT-RSの配置密度が不要に高くはならず、PT-RSのオーバヘッドが不要に増加することを防ぐことができる。
【０２６２】
（６）上記実施の形態では、DCIによって「reserved MCS index」以外のMCS indexが通知されることを前提としている。しかしながら、「reserved MCS index」が通知される場合にも、基地局及び移動局は、当該MCS indexを、reserved MCS index以外のMCS indexに置き換えた上で、上述した各設定例と同様の方法によって、MCS indexを読み替えてもよい。
【０２６３】
「reserved MCS index」は、例えば、データ再送において通知されることが想定されている。この場合、基地局及び移動局は、「reserved MCS index」に対応する再送データに対応するデータの初送（initial transmission）に使用されたMCS index（reserved MCS index以外のMCS index）を参照して、参照したMCS indexを用いて、上述した各設定例と同様にしてURLLCデータ用PT-RSのMCSしきい値を読み替えてもよい。
【０２６４】
（７）特定のトラフィックタイプのデータのCPE/ICI推定に使用されるPT-RSのMCSしきい値ptrs-MCSi_U (i=1, 2, 3)は、上位レイヤ信号によって設定されず、また、上記実施の形態のような方法でも導出又は決定されずに、例えば、仕様において予め決められた値(pre-configured)でもよい。
【０２６５】
（８）上記実施の形態では、異なるMCS index tableにおけるMCSしきい値の読み替え（変換）について説明した。しかし、本開示では、同一MCS index tableにおいて、MCSしきい値の読み替えを行ってもよい。例えば、同一のMCS index tableにおいて、異なるトラフィックタイプ毎に異なるMCSしきい値を適用してもよい。例えば、基地局及び移動局は、同一のMCS index table において、上位レイヤ信号によって設定されるMCSしきい値（例えば、eMBB用）に基づいて、URLLCデータ用PT-RSのMCSしきい値を設定してもよい。
【０２６６】
（９）上記実施の形態の各設定例における方法は、PT-RSの時間的配置密度の導出又は決定に限らず、PT-RSの周波数的配置密度の導出又は決定に適用されてもよい。
【０２６７】
（１０）上記実施の形態の各設定例において、移動局の性能等の情報は、例えば、移動局から基地局に対して、上位レイヤ信号又は上り制御信号（UCI：Uplink Control Information）等によって予め報告されてもよい。
【０２６８】
（１１）上記実施の形態において用いた「CPE/ICI補正」とは、「CPEを補正」すること、「ICIを補正」すること、又は、「CPE及びICIの双方を補正」することを意味する。
【０２６９】
また、上記実施の形態において用いた「トラフィックタイプ」という用語は、例えば、「サービスタイプ（service type）」、「対象シナリオ（scenario）」又は「対象ユースケース（use-case）」等の用語に置き換えられてもよい。
【０２７０】
また、上記実施の形態において用いた「上位レイヤ信号」という用語は、例えば、「RRC（Radio Resource Control）信号」又は「RRC signaling」等の用語に置き換えられてもよい。
【０２７１】
また、上記実施の形態において用いた「MCS index table」という用語は、例えば、「MCS table」、「MCSインデックステーブル」又は「MCSテーブル」等の用語に置き換えられてもよい。
【０２７２】
（１２）上記実施の形態では、CP-OFDMの信号波形を用いる場合について説明したが、例えば、DFT-S-OFDM等の他の信号波形が用いられてもよい。また、PT-RSの時間的配置密度はシンボルの数ではなく、例えば、DFT-S-OFDM信号波形の各シンボル内におけるPT-RSグループの数、PT-RSのグループに含まれるPT-RSサンプルの数、又は、上記グループ数及びサンプル数の組み合わせ等を表す値でもよい。
【０２７３】
（１３）制御チャネル(PDCCH（Physical Downlink Control CHannel）、PUCCH（Physical Uplink Control CHannel）)とデータのチャネル(PDSCH（Physical Downlink Shared CHannel）、PUSCH（Physical Uplink Shared CHannel）)とが周波数多重される場合には、そのシンボルにPT-RSがマッピングされてもよい。
【０２７４】
（１４）本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２７５】
本開示は、通信機能を持つあらゆる種類の装置、デバイス、システム（通信装置と総称）において実施可能である。通信装置の、非限定的な例としては、電話機（携帯電話、スマートフォン等）、タブレット、パーソナル・コンピューター（ＰＣ）（ラップトップ、デスクトップ、ノートブック等）、カメラ（デジタル・スチル／ビデオ・カメラ等）、デジタル・プレーヤー（デジタル・オーディオ／ビデオ・プレーヤー等）、着用可能なデバイス（ウェアラブル・カメラ、スマートウオッチ、トラッキングデバイス等）、ゲーム・コンソール、デジタル・ブック・リーダー、テレヘルス・テレメディシン（遠隔ヘルスケア・メディシン処方）デバイス、通信機能付きの乗り物又は移動輸送機関（自動車、飛行機、船等）、及び上述の各種装置の組み合わせがあげられる。
【０２７６】
通信装置は、持ち運び可能又は移動可能なものに限定されず、持ち運びできない又は固定されている、あらゆる種類の装置、デバイス、システム、例えば、スマート・ホーム・デバイス（家電機器、照明機器、スマートメーター又は計測機器、コントロール・パネル等）、自動販売機、その他ＩｏＴ（Ｉｎｔｅｒｎｅｔ  ｏｆ  Ｔｈｉｎｇｓ）ネットワーク上に存在し得るあらゆる「モノ（Things）」をも含む。
【０２７７】
通信には、セルラーシステム、無線ＬＡＮシステム、通信衛星システム等によるデータ通信に加え、これらの組み合わせによるデータ通信も含まれる。
【０２７８】
また、通信装置には、本開示に記載される通信機能を実行する通信デバイスに接続又は連結される、コントローラやセンサー等のデバイスも含まれる。例えば、通信装置の通信機能を実行する通信デバイスが使用する制御信号やデータ信号を生成するような、コントローラやセンサーが含まれる。
【０２７９】
また、通信装置には、上記の非限定的な各種装置と通信を行う、あるいはこれら各種装置を制御する、インフラストラクチャ設備、例えば、基地局、アクセスポイント、その他あらゆる装置、デバイス、システムが含まれる。
【０２８０】
本開示の一実施例における送信機は、参照信号の配置の決定に用いる第１のしきい値に基づいて、第２のしきい値を決定する制御回路と、前記第２のしきい値に基づいて配置される前記参照信号を送信する送信回路と、を具備する。
【０２８１】
本開示の一実施例における送信機において、前記第１のしきい値及び前記第２のしきい値は、変調方式及び符号化率の組み合わせの複数の候補を含むテーブルに付されたインデックスであり、前記候補には、少なくとも、周波数効率が含まれ、前記制御回路は、第１のテーブルにおける前記第１のしきい値に対応する第１の周波数効率に基づいて、第２のテーブルにおけるインデックスを前記第２のしきい値に決定する。
【０２８２】
本開示の一実施例における送信機において、前記第２のしきい値は、前記第２のテーブルにおいて、前記第１の周波数効率以下の最大の周波数効率に対応するインデックスである。
【０２８３】
本開示の一実施例における送信機において、前記第２のしきい値は、前記第２のテーブルにおいて、前記第１の周波数効率以上の最小の周波数効率に対応するインデックスである。
【０２８４】
本開示の一実施例における送信機において、前記第１のしきい値及び前記第２のしきい値は、変調方式及び符号化率の組み合わせの複数の候補を含むテーブルに付されたインデックスであり、前記候補には、少なくとも、変調多値数が含まれ、前記制御回路は、第１のテーブルにおける前記第１のしきい値に対応する第１の変調多値数に基づいて、第２のテーブルにおけるインデックスを前記第２のしきい値に決定する。
【０２８５】
本開示の一実施例における送信機において、前記第２のしきい値は、前記第２のテーブルにおいて、前記第１の変調多値数以下の最大の変調多値数に対応するインデックスである。
【０２８６】
本開示の一実施例における送信機において、前記第２のしきい値は、前記第２のテーブルにおいて、前記第１の変調多値数以上の最小の変調多値数に対応するインデックスである。
【０２８７】
本開示の一実施例における送信機において、前記第２のしきい値は、前記第１のしきい値にオフセットを適用して決定される。
【０２８８】
本開示の一実施例における送信機において、前記第１のしきい値及び前記第２のしきい値は、変調方式及び符号化率の組み合わせの複数の候補を含むテーブルに付されたインデックスであり、前記オフセットの値は、固定値、上位レイヤ信号又は制御信号によって通知される値、前記テーブルの種類に応じて設定される値、及び、前記第１のテーブル及び前記第２のテーブルの組み合わせに応じて設定される値の何れかである。
【０２８９】
本開示の一実施例における送信機において、前記制御回路は、データのタイプが所定のタイプである場合、前記第２のしきい値に基づいて決定される前記参照信号の配置と異なる密度の参照信号の配置を設定する。
【０２９０】
本開示の一実施例における受信機は、参照信号の配置の決定に用いる第１のしきい値に基づいて、第２のしきい値を決定する制御回路と、前記第２のしきい値に基づいて配置される前記参照信号を受信する受信回路と、を具備する。
【０２９１】
本開示の一実施例における送信方法は、参照信号の配置の決定に用いる第１のしきい値に基づいて、第２のしきい値を決定し、前記第２のしきい値に基づいて配置される前記参照信号を送信する。
【０２９２】
本開示の一実施例における受信方法は、参照信号の配置の決定に用いる第１のしきい値に基づいて、第２のしきい値を決定し、前記第２のしきい値に基づいて配置される前記参照信号を受信する。
【０２９３】
２０１８年９月２１日出願の特願２０１８−１７７０５１の日本出願に含まれる明細書、図面および要約書の開示内容は、すべて本願に援用される。
【産業上の利用可能性】
【０２９４】
本開示の一実施例は、移動通信システムに有用である。
【符号の説明】
【０２９５】
１００，４００  基地局
１０１，２０８，３０６，４０１  制御部
１０２，３０７，４０２  誤り訂正符号化部
１０３，３０８，４０３  変調部
１０４，３０９，４０４  信号割当部
１０５，３１０，４０５  送信部
１０６，２０１，３０１，４０６  アンテナ
２００，３００  移動局
２０２，３０２，４０７  受信部
２０３，３０３，４０８  信号分離部
２０４，４０９  チャネル推定部
２０５，４１０  CPE/ICI推定部
２０６，３０４，４１１  復調部
２０７，３０５，４１２  誤り訂正復号部
【図１】
2020059438.tif 000003
【図２】
2020059438.tif 000004
【図３】
2020059438.tif 000005
【図４】
2020059438.tif 000006
【図５】
2020059438.tif 000007
【図６】
2020059438.tif 000008
【図７】
2020059438.tif 000009
【図８】
2020059438.tif 000010
【図９】
2020059438.tif 000011
【図１０】
2020059438.tif 000012
【図１１】
2020059438.tif 000013
【図１２】
2020059438.tif 000014
【図１３】
2020059438.tif 000015
【図１４】
2020059438.tif 000016
【図１５】
2020059438.tif 000017
【図１６】
2020059438.tif 000018
【図１７】
2020059438.tif 000019
【図１８】
2020059438.tif 000020
【図１９】
2020059438.tif 000021
【国際調査報告】
2020059438.tif 000022
2020059438.tif 000023
2020059438.tif 000024
2020059438.tif 000025